(57)【特許請求の範囲】
【請求項１】
固定体である収納体と、
前記収納体に対して移動し、かつ、前記収納体の開口部を開閉する蓋体であって、前記収納体の内部を視認可能な光透過性の窓部を備える前記蓋体と、
前記収納体に設けられる発光部と、
前記収納体に設けられ、前記発光部に接続される受電部と、
前記蓋体に設けられ、前記受電部に対して直流共鳴方式によって給電可能にした給電部であって、直流電源に接続された給電側の共振回路を備え、前記直流電源から、直接、共鳴周波数で時間的に変化する電磁界共鳴フィールドを形成する前記給電部とを備え、
前記発光部は、ヘッドライトの点灯に連動して、
前記蓋体が前記開口部を閉塞しているとき、前記収納体の内部に光を照射し、前記蓋体が前記開口部を開放することを通じて前記受電部と前記給電部との距離又は角度が変化することで、照度を、前記蓋体が前記開口部を閉塞しているときとは異なる照度に変化させる
車室の発光内装製品。
【請求項２】
移動体であって、収納部の内部を視認可能な光透過性の窓部を備える収納体と、
固定体であって、かつ、前記収納体が格納される格納部と、
前記収納体に設けられる発光部と、
前記収納体に設けられ、前記発光部に接続される受電部と、
前記格納部に設けられ、前記受電部に対して直流共鳴方式によって給電可能にした給電部であって、直流電源に接続された給電側の共振回路を備え、前記直流電源から、直接、共鳴周波数で時間的に変化する電磁界共鳴フィールドを形成する前記給電部とを備え、
前記発光部は、ヘッドライトの点灯に連動して、
前記収納体が前記格納部に格納されているとき、前記収納体の内部に光を照射し、前記収納体が前記格納部から引き出されることを通じて前記受電部と前記給電部との距離又は角度が変化することで、照度を、前記収納体が前記格納部に格納されているときとは異なる照度に変化させる
車室の発光内装製品。
【請求項３】
移動体である有底筒状の収納容器と、
固定体であって、かつ、前記収納容器を収納する収納ホルダと、
前記収納容器に設けられる発光部と、
前記収納容器に設けられ、前記発光部に接続される受電部と、
前記収納ホルダに設けられ、前記受電部に対して直流共鳴方式によって給電可能にした給電部であって、直流電源に接続された給電側の共振回路を備え、前記直流電源から、直接、共鳴周波数で時間的に変化する電磁界共鳴フィールドを形成する前記給電部とを備え、
前記発光部は、ヘッドライトの点灯に連動して、
前記収納容器が前記収納ホルダに対して移動されることを通じて前記受電部と前記給電部との距離又は角度が変化することで、照度又は色を変化させる
車室の発光内装製品。
【請求項４】
移動体であって、空調装置における空調空気の吹出口に設けられ、前記空調空気の風向及び風量の少なくとも１つを調整するフィンを移動する操作部と、
固定体であって、かつ、前記吹出口の周囲に設けられるベゼルと、
前記操作部に設けられる発光部と、
前記操作部に設けられ、前記発光部に接続される受電部と、
前記ベゼルに設けられ、前記受電部に対して直流共鳴方式によって給電可能にした給電部であって、直流電源に接続された給電側の共振回路を備え、前記直流電源から、直接、共鳴周波数で時間的に変化する電磁界共鳴フィールドを形成する前記給電部とを備え、
前記発光部は、配線基板と、前記配線基板に実装される発光体とを備え、前記発光体の出射方向が前記配線基板の一方の面に対して平行な方向であり、
前記操作部が移動されることを通じて前記受電部と前記給電部との相対位置が変わることで、発光態様を変化させる
発光内装製品。
【請求項５】
移動体であって、空調装置における空調空気の吹出口に設けられ、前記空調空気の風向及び風量の少なくとも１つを調整するレジスタと、
固定体であって、前記吹出口の周囲に設けられるベゼルと、
前記レジスタに設けられる発光部と、
前記レジスタに設けられ、前記発光部に接続される受電部と、
前記ベゼルに設けられ、前記受電部に対して直流共鳴方式によって給電可能にした給電部であって、直流電源に接続された給電側の共振回路を備え、前記直流電源から、直接、共鳴周波数で時間的に変化する電磁界共鳴フィールドを形成する前記給電部とを備え、
前記発光部は、配線基板と、前記配線基板に実装される発光体とを備え、前記発光体の出射方向が前記配線基板の一方の面に対して垂直な方向であり、
前記レジスタが移動されることを通じて前記受電部と前記給電部との相対位置が変わることで、発光態様を変化させる
発光内装製品。
【請求項６】
前記受電部は、更に、前記発光部と並列接続された蓄電部を有する
請求項３に記載の発光内装製品。
【請求項７】
固定体である収納体と、
前記収納体に対して移動し、かつ、前記収納体の開口部を開閉する蓋体であって、光透過性を有する基材と、前記基材に対して光透過性を有さず前記基材に取り付けられた装飾部材とを備えた前記蓋体と、
前記蓋体に設けられる発光部と、
前記蓋体に設けられ、前記発光部に接続される受電部と、
前記収納体に設けられ、前記受電部に対して直流共鳴方式によって給電可能にした給電部であって、直流電源に接続された給電側の共振回路を備え、前記直流電源から、直接、共鳴周波数で時間的に変化する電磁界共鳴フィールドを形成する前記給電部とを備え、
前記発光部は、
前記蓋体が前記開口部を閉塞しているとき、前記基材及び前記装飾部材に光を照射し、前記蓋体が前記開口部を開放することを通じて前記受電部と前記給電部との距離又は角度が変化することで、照度を、前記蓋体が前記開口部を閉塞しているときとは異なる照度に変化させる
車室の発光内装製品。
【請求項８】
固定体であって、かつ、蓋体により開閉される開口部を有する収納体と、
移動体であって、かつ、前記収納体内に出し入れ可能に収容されるトレイと、
前記トレイに設けられる発光部と、
前記トレイに設けられ、前記発光部に接続される受電部と、
前記収納体に設けられ、前記受電部に対して直流共鳴方式によって給電可能にした給電部であって、直流電源に接続された給電側の共振回路を備え、前記直流電源から、直接、共鳴周波数で時間的に変化する電磁界共鳴フィールドを形成する前記給電部とを備え、
前記発光部は、
前記トレイが前記収納体に収容されているとき光を照射し、前記トレイが前記開口部から引き出されることを通じて前記受電部と前記給電部との距離が変化することで、照度を、前記トレイが前記収納体に収容されているときとは異なる照度に変化させる
車室の発光内装製品。
【請求項９】
固定体であって、かつ、複数種類の保持対象物が種類毎に異なる姿勢で載置される載置部を有するケースと、
移動体であって、かつ、前記ケースの前記載置部から出没し、前記載置部に載置された前記保持対象物を前記姿勢に保持する可動保持部材と、
前記可動保持部材に設けられる発光部と、
前記可動保持部材の先端部に設けられ、前記発光部に接続される受電部と、
前記ケースに設けられ、前記受電部に対して直流共鳴方式によって給電可能にした給電部であって、直流電源に接続された給電側の共振回路を備え、前記直流電源から、直接、共鳴周波数で時間的に変化する電磁界共鳴フィールドを形成する前記給電部とを備え、
前記発光部は、
前記可動保持部材が前記ケースの前記載置部から最大量突出しているとき、前記受電部が前記給電部に対して最も近づき、光を照射し、前記可動保持部材が前記ケース内に没入されることを通じて前記受電部と前記給電部との距離又は角度が変化することで、照度を、前記可動保持部材が前記最大量突出しているときとは異なる照度に変化させる
発光内装製品。
【請求項１０】
移動体であって、かつ、被ガイド部をそれぞれ有する複数種類の収納対象物と、
固定体であって、かつ、上面が開放されて前記収納対象物が収納される収納部を有するコンソールボックスと、
前記収納部の壁面に直線状に延びて設けられ、複数種類の前記収納対象物の前記被ガイド部が取り外し可能に係合されるガイド部と、
各収納対象物に設けられる発光部と、
前記各収納対象物に設けられ、前記発光部に接続される受電部と、
前記コンソールボックスに設けられ、前記受電部に対して直流共鳴方式によって給電可能にした給電部であって、直流電源に接続された給電側の共振回路を備え、前記直流電源から、直接、共鳴周波数で時間的に変化する電磁界共鳴フィールドを形成する前記給電部とを備え、
前記ガイド部の延びる方向へ前記収納対象物が一方向にスライド移動されることで前記被ガイド部が前記ガイド部から外れ、
前記発光部は、前記収納対象物が前記収納部内に位置する状態では点灯し、前記収納対象物が前記コンソールボックスに対して前記ガイド部の延びる方向へスライド移動されることを通じて前記受電部と前記給電部との距離が変化することで、照度を変化させる
発光内装製品。
【発明の詳細な説明】
【技術分野】
【０００１】
本発明は、非接触で発光部に電力供給がされる発光内装製品に関する。
【背景技術】
【０００２】
車室のインストゥルメントパネルに設けられる内装製品には、多くの発光部が用いられている。例えば、特許文献１には、車両用空調装置の吹出グリルに発光部を設け、発光部に対してワイヤレス給電することが記載されている。
【先行技術文献】
【特許文献】
【０００３】
【特許文献１】特開２００１−２８７５４０号公報
【発明の概要】
【発明が解決しようとする課題】
【０００４】
ところで、内装製品のなかには、例えばグローブボックスのように、インストゥメントパネルに固定された格納部と、格納部に対して出し入れされる収納体との組み合わせとして構成されたものが知られている。グローブボックスにおける格納部は、インストゥメントパネルに固定された固定体であり、グローブボックスにおける収納体は、固定体に対して移動する移動体である。これら固定体と移動体との組み合わせとして構成される内装製品において、上述した発光部が採用される際には、給電線や信号線が断線しないようにこれらを取り回すことが煩わしいため、上述したワイヤレス給電が有用である。
【０００５】
近年において、これら固定体と移動体とから構成される内装製品は、落ち着いた雰囲気、高級感の向上、美観の向上等の様々な演出が求められている。給電線や信号線を省略して美観等の意匠を向上させるには、ワイヤレス給電における給電効率の向上が望まれている。また、発光部による照明においては、単なる直接照明や機能照明の他に、演出照明が望まれている。
【０００６】
給電効率を高めること、演出照明を付加すること、これらの要請は、車両に搭載される内装製品に限らず、例えば、建築物の内装製品や航空機の内装製品等の様々な内装製品に対して共通している。
【０００７】
本発明は、このような実情に鑑みてなされたものであり、その目的は、給電効率の向上を図りながら、部材の移動に関連付けて演出照明の効果を高めることができる発光内装製品を提供することにある。
【課題を解決するための手段】
【０００８】
上記課題を解決する発光内装製品は、第１部品と、第２部品とを備える。前記第１部品又は前記第２部品は固定体であり、前記第１部品と前記第２部品との中で前記固定体以外は前記固定体に対して移動する移動体である。そして、前記第１部品に設けられる発光部と、前記第１部品に設けられ、前記発光部に接続される受電部と、前記第２部品に設けられ、前記受電部に対して直流共鳴方式によって給電可能にした給電部であって、直流電源に接続された給電側の共振回路を備え、前記直流電源から、直接、共鳴周波数で時間的に変化する電磁界共鳴フィールドを形成する前記給電部と、を更に備える。前記移動体が前記固定体に対して移動するときに、前記給電部と前記受電部との距離又は前記給電部と前記受電部とのなす角度が変化するように前記給電部と前記受電部とが配置され、前記発光
部は、前記変化に応じて発光態様を変える。
【０００９】
上記構成によれば、前記第１部品と前記第２部品の何れかが移動し、前記給電部から前記受電部に直流共鳴方式で給電をすることで給電効率を高めることができる。また、前記第１部品と前記第２部品の相対移動によって、前記給電部と前記受電部との距離又は前記給電部と前記受電部とのなす角度が変化することで、当該変化に応じて発光態様を変化させることができる。これにより、部品の移動に関連付けて演出照明の効果を高めることができる。
【００１０】
上記発光内装製品において、例えば、前記第１部品は、前記固定体であって、かつ、収納体であり、前記第２部品は、前記移動体であって、かつ、前記収納体の開口部を開閉する蓋体としてもよい。この場合、前記給電部は、前記蓋体に設けられ、前記受電部と前記発光部とは、前記収納体に設けられる。そして、前記発光部は、前記蓋体が前記開口部を閉塞しているとき、前記収納体の内部に光を照射し、前記蓋体が前記開口部を開放することを通じて前記受電部と前記給電部との距離又は角度が変化することで、照度を、前記蓋体が前記開口部を閉塞しているときとは異なる照度に変化させる。すなわち、前記距離又は角度が小さくなれば、前記照度は高くなり、前記距離又は角度が大きくなれば、前記照度は低くなる。
【００１１】
上記構成によれば、前記蓋体の移動に関連付けて演出照明の効果を高めることができる。
上記発光内装製品において、例えば、前記第１部品は、前記移動体であって、収納体であり、前記第２部品は、前記固定体であって、かつ、前記収納体が格納される格納部としてもよい。この場合、前記給電部は、前記格納部に設けられ、前記受電部と前記発光部とは、前記収納体に設けられる。そして、前記発光部は、前記収納体が前記格納部に格納されているとき、前記収納体の内部に光を照射し、前記収納体が前記格納部から引き出されることを通じて前記受電部と前記給電部との距離又は角度が変化することで、照度を、前記収納体が前記格納部に格納されているときとは異なる照度に変化させる。すなわち、前記距離又は角度が小さくなれば、前記照度は高くなり、前記距離又は角度が大きくなれば、前記照度は低くなる。
【００１２】
上記構成によれば、前記収納体の移動に関連付けて演出照明の効果を高めることができる。
上記発光内装製品において、例えば、前記第１部品は、前記移動体であって、有底筒状の収納対象物であり、前記第２部品は、前記固定体であって、かつ、前記収納対象物を収納する収納ホルダとしてもよい。この場合、前記給電部は、前記収納ホルダに設けられ、前記受電部と前記発光部とは、前記収納対象物に設けられる。そして、前記発光部は、前記収納対象物が前記収納ホルダに対して移動されることを通じて前記受電部と前記給電部との距離又は角度が変化することで、照度又は色を変化させる。例えば前記距離又は角度が小さくなれば、前記照度は高くなり、前記距離又は角度が大きくなれば、前記照度は低くなる。
【００１３】
上記構成によれば、前記収納対象物の移動に関連付けて演出照明の効果を高めることができる。
上記発光内装製品において、例えば、前記第１部品は、前記移動体であって、空調装置における空調空気の吹出口に設けられ、前記空調空気の風向及び風量の少なくとも１つを調整するフィンを移動する操作部としてもよい。この場合、前記第２部品は、前記固定体であって、前記吹出口の周囲に設けられるベゼルであり、前記給電部は、前記ベゼルに設けられ、前記受電部と前記発光部とは、前記操作部に設けられる。そして、前記発光部は、前記操作部が移動されることを通じて前記受電部と前記給電部との相対位置が変わることで、前記発光態様を変化させる。
【００１４】
上記構成によれば、前記操作部の移動に関連付けて演出照明の効果を高めることができる。
上記発光内装製品において、例えば、前記第１部品は、前記移動体であって、空調装置における空調空気の吹出口に設けられ、前記空調空気の風向及び風量の少なくとも１つを調整するレジスタとしてもよい。この場合、前記第２部品は、前記固定体であって、前記吹出口の周囲に設けられるベゼルであり、前記給電部は、前記ベゼルに設けられ、前記受電部と前記発光部とは、前記レジスタに設けられる。そして、前記発光部は、前記レジスタが移動されることを通じて前記受電部と前記給電部との相対位置が変わることで、前記発光態様を変化させる。
【００１５】
上記構成によれば、前記レジスタの移動に関連付けて演出照明の効果を高めることができる。
上記発光内装製品において、前記受電部は、更に、前記発光部と並列接続された蓄電部を有するようにしてもよい。
【００１６】
上記構成によれば、給電不能な距離まで移動体が離れても、一定期間発光部を発光させることができる。
上記発光内装製品において、例えば、前記第２部品は、前記固定体であって、かつ、収納体であり、前記第１部品は、前記移動体であって、かつ、前記収納体の開口部を開閉する蓋体であり、光透過性を有する基材と、前記基材に取付けられた装飾部材とを備えるものであってもよい。
【００１７】
この場合、前記給電部は、前記収納体に設けられ、前記受電部と前記発光部とは、前記蓋体に設けられる。そして、前記発光部は、前記蓋体が前記開口部を閉塞しているとき、前記基材及び前記装飾部材に光を照射し、前記蓋体が前記開口部を開放することを通じて前記受電部と前記給電部との距離又は角度が変化することで、照度を、前記蓋体が前記開口部を閉塞しているときとは異なる照度に変化させる。すなわち、前記距離又は角度が小さくなれば、前記照度は高くなり、前記距離又は角度が大きくなれば、前記照度は低くなる。
【００１８】
上記構成によれば、前記蓋体の移動に関連付けて演出照明の効果を高めることができる。
上記発光内装製品において、例えば、前記第２部品は、前記固定体であって、かつ、蓋体により開閉される開口部を有する収納体であり、前記第１部品は、前記移動体であって、かつ、前記収納体内に出し入れ可能に収容されるトレイであってもよい。
【００１９】
この場合、前記給電部は、前記収納体に設けられ、前記受電部と前記発光部とは、前記トレイに設けられる。そして、前記発光部は、前記トレイが前記収納体に収容されているとき光を照射し、前記トレイが前記開口部から引き出されることを通じて前記受電部と前記給電部との距離が変化することで、照度を、前記トレイが前記収納体に収容されているときとは異なる照度に変化させる。
【００２０】
すなわち、トレイが収納体から引き出されて前記距離が大きくなれば、前記照度は、トレイが収納体に収容されているときよりも低くなる。
上記構成によれば、前記トレイの移動に関連付けて演出照明の効果を高めることができる。
【００２１】
上記発光内装製品において、例えば、前記第２部品は、前記固定体であって、かつ、複数種類の保持対象物が種類毎に異なる姿勢で載置される載置部を有するケースであり、前記第１部品は、前記移動体であって、かつ、前記ケースの前記載置部から出没し、前記載置部に載置された前記保持対象物を前記姿勢に保持する可動保持部材であってもよい。
【００２２】
この場合、前記給電部は、前記ケースに設けられ、前記受電部と前記発光部とは、前記可動保持部材に設けられる。そして、前記発光部は、前記可動保持部材が前記ケースの前記載置部から最大量突出しているとき光を照射し、前記可動保持部材が前記ケース内に没入されることを通じて前記受電部と前記給電部との距離又は角度が変化することで、照度を、前記可動保持部材が前記最大量突出しているときとは異なる照度に変化させる。
【００２３】
すなわち、前記距離又は角度が小さくなれば、前記照度は高くなり、前記距離又は角度が大きくなれば、前記照度は低くなる。
上記構成によれば、可動保持部材の移動に関連付けて演出照明の効果を高めることができる。
【００２４】
上記発光内装製品において、例えば、前記第１部品は、前記移動体であって、かつ、被ガイド部をそれぞれ有する複数種類の収納対象物であり、前記第２部品は、前記固定体であって、かつ、上面が開放されて前記収納対象物が収納される収納部を有するコンソールボックスであってもよい。前記収納部の壁面には、直線状に延びて、複数種類の前記収納対象物の前記被ガイド部が取り外し可能に係合されるガイド部が設けられる。
【００２５】
この場合、前記給電部は、前記コンソールボックスに設けられ、前記受電部と前記発光部とは、各収納対象物に設けられる。そして、前記発光部は、前記収納対象物が前記コンソールボックスに対して前記ガイド部の延びる方向へスライド移動されることを通じて前記受電部と前記給電部との距離が変化することで、照度を変化させる。
【００２６】
すなわち、前記距離が小さくなれば、前記照度は高くなり、前記距離が大きくなれば、前記照度は低くなる。
上記構成によれば、収納対象物の移動に関連付けて演出照明の効果を高めることができる。
【発明の効果】
【００２７】
以上のような構成によれば、第１部品と第２部品の何れかが移動し、給電部から受電部に直流共鳴方式で給電をすることで給電効率を高めることができる。また、第１部品と第２部品の相対移動によって、給電部と受電部との距離又は給電部と受電部とのなす角度が変化することで、当該変化に応じて発光態様を変化させることができる。これにより、部品の移動に関連付けて演出照明の効果を高めることができる。
【図面の簡単な説明】
【００２８】
【図１】車両用の発光内装製品が設けられる車両のインストゥルメントパネルやセンターコンソールを示す斜視図である。
【図２】第１実施形態の収納装置を示す斜視図であり、蓋体が収納部を閉塞した状態を示す。
【図３】第１実施形態の収納装置を示す断面図であり、蓋体が収納部を閉塞した状態を示す。
【図４】第１実施形態の収納装置を示す斜視図であり、蓋体が収納部を開放した状態を示す。
【図５】第１実施形態の収納装置を示す断面図であり、蓋体が収納部を開放した状態を示す。
【図６】直流共鳴方式のワイヤレス給電システムの回路図である。
【図７】直流共鳴方式における相対距離及び相対角度と給電効率との関係を示す図である。
【図８】第２実施形態の収納装置を示す斜視図であり、格納部に収納体が格納された状態を示す。
【図９】第２実施形態の収納装置を示す断面図であり、格納部に収納体が格納された状態を示す。
【図１０】第２実施形態の収納装置を示す斜視図であり、収納体が格納部から引き出された状態を示す。
【図１１】第２実施形態の収納装置を示す断面図であり、収納体が格納部から引き出された状態を示す。
【図１２】第３実施形態のホルダ装置を示す斜視図であり、収納対象物が収納ホルダに収納された状態を示す。
【図１３】第３実施形態のホルダ装置を示す斜視図であり、収納対象物が収納ホルダから取り出された状態を示す。
【図１４】第３実施形態のホルダ装置で用いられる直流共鳴方式のワイヤレス給電システムの回路図である。
【図１５】（ａ）は、第４実施形態のホルダ装置の平面図であり、（ｂ）は、断面図である。
【図１６】第４実施形態のホルダ装置で用いられる直流共鳴方式のワイヤレス給電システムの回路図である。収納対象物の受電部が中継回路として機能する。
【図１７】第５実施形態において、インストゥルメントパネルに設けられた空調装置の吹き出しレジスタを示す斜視図である。
【図１８】第６実施形態において、インストゥルメントパネルに設けられた空調装置の吹き出しレジスタを示す斜視図である。
【図１９】第７実施形態における発光ユニットを示す図であり、（ａ）は配線基板を、発光体や電子部品が実装された面側から見た斜視図であり、（ｂ）はループコイルが設けられた面側から見た斜視図である。
【図２０】第８実施形態における発光ユニットを示す図であり、（ａ）は配線基板を、発光体や電子部品が実装された面側から見た斜視図であり、（ｂ）はループコイルが設けられる面側から見た分解斜視図である。
【図２１】第９実施形態における吹き出しレジスタを示す図であり、（ａ）は、第５実施形態として図１７に示した吹き出しレジスタの断面図であり、（ｂ）は、風向調整用操作部に内蔵された配線基板の斜視図である。
【図２２】第１０実施形態における吹き出しレジスタを示す図であり、（ａ）は、第６実施形態として図１８に示した吹き出しレジスタの一部を示す斜視図であり、（ｂ）は、レジスタに内蔵された配線基板の斜視図である。
【図２３】発光内装製品を収納装置に具体化した第１１実施形態において、収納部が閉塞された収納装置を示す斜視図である。
【図２４】第１１実施形態において、収納部が閉塞された収納装置を示す断面図である。
【図２５】第１１実施形態において、収納部が開放され、トレイが僅かに引き出された収納装置を示す斜視図である。
【図２６】第１１実施形態において、収納部が開放され、トレイが僅かに引き出された収納装置を示す断面図である。
【図２７】発光内装製品をホルダ装置に具体化した第１２実施形態において、可動保持部材が没入位置に係止されたホルダ装置の斜視図である。
【図２８】第１２実施形態において、可動保持部材が没入位置に係止されたホルダ装置の側面図である。
【図２９】第１２実施形態において、可動保持部材が中間位置に係止されたホルダ装置の斜視図である。
【図３０】第１２実施形態において、可動保持部材が中間位置に係止されたホルダ装置の側面図である。
【図３１】第１２実施形態において、可動保持部材が突出位置に係止されたホルダ装置の斜視図である。
【図３２】第１２実施形態において、可動保持部材が突出位置に係止されたホルダ装置の側面図である。
【図３３】発光内装製品を収納装置に具体化した第１３実施形態において、同収納装置の斜視図である。
【図３４】第１３実施形態における収納装置の断面図である。
【発明を実施するための形態】
【００２９】
以下、図面を参照して発光内装製品の一実施形態について説明する。
図１に示すように、ここで説明する発光内装製品は、車両用であって、例えば、フロントウィンドウの下の車内左右に亘るインストゥルメントパネル１に設けられるグローブボックス等の収納装置１０や、運転席と助手席を隔てるセンターコンソール２に設けられて、筒状の収納対象物を収納するホルダ装置５０である。また、発光内装製品は、インストゥルメントパネル１やセンターコンソール２に設けられる空調装置の吹き出しレジスタ７０である。
【００３０】
（第１実施形態）
先ず、図２〜図５を参照して、発光内装製品の第１実施形態となるグローブボックス等の収納装置１０について説明する。図２及び図３に示すように、収納装置１０は、助手席前のインストゥルメントパネル１に設けられる収納体１１と、収納体１１の開口部１２を開閉する蓋体１３とを備えている。収納体１１は、インストゥルメントパネル１に固定される固定体となり、蓋体１３は、固定体である収納体１１に対して回動する移動体となる。
【００３１】
収納体１１は、内部に、グローブや小物等の収納物を収納する収納部１１ａを有し、助手席に臨む一側面に、収納部１１ａと連続する開口部１２が形成されている。蓋体１３は、開口部１２とほぼ同じ形状と大きさを有する板状体であり、助手席側の表面が化粧面となっている。この蓋体１３は、収納体１１の両側面１７に、回動支持部材１６によって回動可能に支持されている。蓋体１３には、その一部に、開口部１２を閉塞しているとき、収納部１１ａ内を視認できるように光透過性の窓部１５が設けられている。蓋体１３は、開口部１２を閉塞しているとき、収納体１１の天板１４に対してほぼ垂直の状態にあり、開口部１２を開放するとき、ほぼ９０°回動する。そして、図４及び図５に示すように、蓋体１３は、天板１４の上側で、その天板１４に対しほぼ平行な状態となる。
【００３２】
図３及び図５に示すように、収納体１１の天板１４には、収納部１１ａに光を照射する発光ユニット２１が設けられている。この発光ユニット２１は、ＬＥＤ、ＥＬ素子といった発光部としての発光体２２と、ワイヤレス給電のための受電部２３とを備えている。例えば、発光ユニット２１は、発光体２２の実装された配線基板が、ハウジング内に配設されることにより構成されている。更に、配線基板には、受電部２３の一部を構成するループコイル２３ａ等が設けられている。ループコイル２３ａは、受電側共振回路の一部を構成する。ループコイル２３ａは、例えば天板１４に対し平行な平面に設けられる。発光体２２は、収納体１１の天板１４から収納部１１ａに光を照射する。
【００３３】
蓋体１３には、発光ユニット２１に対してワイヤレス給電する給電部２４が設けられている。給電部２４は、例えば、蓋体１３の収納部１１ａに臨む裏面に設けられるループコイル２４ａ等を有している。ループコイル２４ａは、給電側共振回路の一部を構成する。給電側のループコイル２４ａは、例えば、蓋体１３の外周に沿って、大きな開口面積を有するように形成されている。
【００３４】
ここで採用されているワイヤレス給電システムは、直流電圧から共鳴周波数で時間的に変化する電磁界共鳴フィールドを形成し、給電側の共振回路と受電側の共振回路とを互いに共鳴させて、空間を隔てて電力を供給する直流共鳴方式を採用している。具体的には、図６に示すように、給電部２４は、直流電源である車載用バッテリ２５に対して、給電側のループコイル２４ａとコンデンサ２４ｂとが直列に接続されて共振回路を構成し、更に、高速スイッチング動作をするスイッチング回路２４ｃを備えている。給電側のループコイル２４ａは、ここでは１ターンであり、簡素化されている。例えば、給電側のループコイル２４ａは、配線基板の配線パターンによって形成されている。また、コンデンサ２４ｂやスイッチング回路２４ｃも同じ若しくは異なる配線基板に設けられている。スイッチング回路２４ｃは、高速スイッチング動作に対してスイッチング損失等の電力損失を低減し電磁雑音を抑制できるゼロ電圧スイッチング動作（ＺＶＳ：Ｚｅｒｏ  Ｖｏｌｔａｇｅ  Ｓｗｉｔｃｈｉｎｇ）をする。また、受電部２３は、発光体２２に対して、受電側のループコイル２３ａとコンデンサ２３ｂとが直列に接続され共振回路を構成している。
【００３５】
この直流共鳴方式のワイヤレス給電システムは、車載用バッテリ２５といった直流電源から、直接、時間的に変化する共鳴フィールドを形成し、給電側と受電側の共振回路を互いに共鳴させて、空間を隔てて電力を供給する。この直流共鳴方式は、直流電源からダイレクトなエネルギ変換を行うことで、エネルギ変換効率が高く、送電効率が高いものとなっている。
【００３６】
図７は、給電部と受電部との相対距離、及び給電部と受電部のなす相対角度について、本実施形態での発光体２２が発光可能な領域を示している。この領域では、相対距離が長くなるに連れて給電効率が下がる。また、相対角度が大きくなるに連れて給電効率が下がる。
【００３７】
また、同図７に示すように、給電部と受電部との相対距離に関し、Ｑｉ規格に準拠した電磁誘導方式においては、発光可能な相対距離の最大値は、数ｍｍ〜１ｃｍ程度である。これに対して、直流共鳴方式における発光可能な相対距離の最大値は、１０ｃｍ〜２０ｃｍ程度と長い。
【００３８】
また、Ｑｉ規格に準拠した電磁誘導方式において、給電部と受電部の発光可能な相対角度の最大値は、ほぼ０°程度であり、極めて小さい。これに対して、直流共鳴方式の給電部２４と受電部２３の発光可能な相対角度の最大値は、ほぼ９０°程度である。したがって、給電部２４と受電部２３の配置の自由度が高い。
【００３９】
上記発光可能な領域のうち、相対距離がＬ１以下の領域Ｚ１では、給電効率の変化が発光体２２の照度に及ぼす影響は小さい。これに対し、相対距離がＬ１からＬ２（＞Ｌ１）までの領域Ｚ１では、給電効率の変化が発光体２２の照度に及ぼす影響は大きい。この領域Ｚ２では、相対距離が長くなるに連れて給電効率が低下するところ、この低下に従い照度が低くなる。この領域Ｚ２は、直流共鳴方式における漸減領域であり、本実施形態では、この領域Ｚ２（漸減領域）で相対距離及び相対角度を変化させることで、発光体２２の照度を変化させるようにしている。
【００４０】
図２及び図３に示すように、収納装置１０では、蓋体１３が収納体１１の開口部１２を閉塞しているとき、給電側のループコイル２４ａの中心軸線と、受電側のループコイル２３ａの中心軸線とのなす角度である相対角度がほぼ９０°となっている。また、次に説明する蓋体１３が開口部１２を開いた状態と比べて、給電側のループコイル２４ａと受電側のループコイル２３ａとの相対距離も長くなっている。したがって、受電部２３及び給電部２４は給電効率の低い状態となり、発光体２２は、収納部１１ａを開いた状態より暗い第１照度で光を照射している。この状態は、図７中の領域Ｚ２（漸減領域）に対応する相対距離のなかで、中央値よりも長い相対距離を利用することで得られる。ユーザは、この状態で、暗いながらも蓋体１３の窓部１５から収納部１１ａの収納物を目視確認できる。このとき、収納体１１内の発光体２２による照明光が窓部１５を通じて漏れて車室の演出照明のようになる。
【００４１】
図４及び図５に示すように、蓋体１３は、収納体１１の開口部１２を開く際、回動支持部材１６を回動支点にほぼ９０°回動し、天板１４の上側で、その天板１４に対しほぼ平行な状態となる。すると、給電側のループコイル２４ａと受電側のループコイル２３ａは、互いに近接し相対距離が短くなり、また、これらの中心軸線は互いに平行となり、相対角度がほぼ０度となる。このように、受電部２３及び給電部２４が給電効率の高い状態となるので、収納体１１の天板１４に設けられた発光体２２は、蓋体１３が開口部１２を閉じた状態の第１照度より高い第２照度で収納部１１ａに光を照射する。したがって、収納部１１ａは、蓋体１３が開いたとき、閉じているときより明るくなり、ユーザは、収納部１１ａの収納物をしっかりと確認することができる。この状態は、図７中の領域Ｚ１を利用することで得られる。
【００４２】
蓋体１３が開口部１２を開くときには、受電部２３と給電部２４との相対距離が徐々に短くなり、また、相対角度も徐々に小さくなり、給電効率が徐々に上がる。したがって、発光体２２は、蓋体１３が開口部１２を開くに連れて、第１照度から第２照度まで次第に明るくなる。また、蓋体１３が開口部１２を閉じるときには、受電部２３と給電部２４との相対距離が徐々に長くなり、また、相対角度も徐々に大きくなり、給電効率が徐々に下がる。したがって、発光体２２は、蓋体１３が開口部１２を閉じるに連れて、第２照度から第１照度まで次第に暗くなる。この状態は、給電部２４が図７中の領域Ｚ２（漸減領域）で移動することで得られる。このように、収納装置１０では、蓋体１３の開閉動作に連動させて、発光体２２の照度を変化させて、発光体２２を演出照明のように動作させることができる。
【００４３】
以上のような第１実施形態の収納装置１０は、以下のように列挙する効果を得ることができる。
（１）収納装置１０は、蓋体１３が収納部１１ａの開口部１２を開放するとき、蓋体１３の開く方向の回動量に合わせて次第に明るくなり、開口部１２を閉じるとき、蓋体１３の閉じる方向の回動量に合わせて次第に暗くなる。このように、収納装置１０では、発光体２２を、蓋体１３の開閉動作に連動させて照度を変える演出照明として機能させることができる。
【００４４】
（２）収納装置１０では、ワイヤレス給電で、蓋体１３の給電部２４から収納体１１の受電部２３に給電することができる。したがって、電源と発光体２２との結線が不要となり、有線の場合とは異なり、断線等の発生を抑制することができる。
【００４５】
（３）ワイヤレス給電システムとして直流共鳴方式を採用している。したがって、Ｑｉ規格に準拠した電磁誘導方式よりも給電効率を高くすることができる。また、直流共鳴方式は、電磁誘導方式よりも給電部２４及び受電部２３の相対距離や、給電部２４及び受電部２３がなす相対角度について発光体２２を発光させることのできる範囲が広い。その分、給電側のループコイル２４ａや受電側のループコイル２３ａの配置の自由度を高くすることができる。また、照度の変化のさせ方に合わせて給電側のループコイル２４ａや受電側のループコイル２３ａの位置を決めることができる。
【００４６】
（４）蓋体１３が開口部１２を閉塞している状態において、発光体２２は、例えば、夜間等の車内が暗いとき、例えばヘッドライトの点灯に連動して、第１照度で点灯する。したがって、ユーザは、暗いながらも窓部１５を介して収納部１１ａの状態を視認することができる。また、発光体２２が第１照度で照射する光は、窓部１５を通じて漏れることで、車室の演出照明として機能する。更に、蓋体１３が開口部１２を開いたときには、発光体２２が明るくなるので、収納物をしっかりと視認することができるようになり、収納物の出し入れを容易に行うことができる。
【００４７】
なお、上記第１実施形態の収納装置１０は、以下のように適宜変更して実施することもできる。
・蓋体１３は、天板１４に対しほぼ平行になる方向に回動するのではなく、例えば、側面１７対しほぼ平行になる方向に回動してもよい。この場合、受電部２３の一部を構成する受電側のループコイル２３ａは、蓋体１３に設けられた給電側のループコイル２４ａに近接する位置に設けられる。
【００４８】
・発光ユニット２１は、開口部１２から収納体１１の背面１８に向けた方向において、天板１４における中央よりも開口部１２側ではなく背面１８側に設けられてもよい。
・受電側のループコイル２３ａと発光体２２とは、１つのユニットに設けられるのではなく、各別のユニットに設けられて、互いに離れた位置に配置されてもよい。すなわち、受電側のループコイル２３ａの位置は、給電側のループコイル２４ａからの給電可能な範囲内に制限される。これに対して、発光体２２は、受電側共振回路からの配線を長くすれば、収納体１１の何れの位置に設けることができる。
【００４９】
・給電部２４の一部を構成する給電側のループコイル２４ａの大きさは、蓋体１３の外周部より小さい開口面積を有する大きさに変更されてもよい。また、ループコイル２４ａのターン数も１ターンに限定されるものではない。
【００５０】
・発光体２２は、蓋体１３が開口部１２を閉じたとき、完全に消灯してもよい。この場合、光透過性の窓部１５は設けなくてもよい。また、蓋体１３が開口部１２を閉じたときに、受電側のループコイル２３ａが給電側のループコイル２４ａの給電可能な範囲の外に位置すればよい。
【００５１】
・発光体２２は、上述のように、ヘッドライトに連動して点灯させてもよい。すなわち、ヘッドライトが点灯するとき、車載用バッテリ２５が給電部２４に電力を供給する。また、発光体２２は、ヘッドライトに連動して点灯しなくてもよい。
【００５２】
・給電側の共振回路も受電側の共振回路も、図６の例に限定されるものではない。例えば、ループコイル２３ａ，２４ａと並列にコンデンサを設け、蓄電部として機能させてもよい。
【００５３】
（第２実施形態）
次に、図８〜図１１を参照して、発光内装製品の第２実施形態を説明する。第２実施形態である収納装置３０は、上述した収納装置１０の変形例であり、助手席前のインストゥルメントパネル１に設けられた格納部３１に対して、収納体３２が移動可能に設けられている。格納部３１は、インストゥルメントパネル１に設けられた凹部であり、固定体である。これに対して、収納体３２は、格納部３１に対して移動する移動体であり、格納部３１に対して出し入れ可能である。収納体３２は、内部に、グローブや小物等の収納物を収納する収納部３２ａを有し、上方に、収納部３２ａと連続する開口部３３を有している。この収納体３２では、助手席に臨む前面３４ａが化粧面となっている。前面３４ａには、収納体３２が格納部３１に格納されているときに、収納部３２ａ内を視認できるように光透過性の窓部３８が設けられている。
【００５４】
収納体３２において前面３４ａに対し垂直な面であって相対向する両側部３４ｂと、格納部３１において先の両側部３４ｂに対し平行な面であって相対向する両側部３１ａとには、格納部３１に対する収納体３２の移動をガイドするガイド機構３５が設けられている。ガイド機構３５は、収納体３２の両側部３４ｂに形成されたガイド突起３６と、格納部３１の両側部３１ａに形成されたガイド溝３７とを備えている。ガイド溝３７は、収納体３２の移動範囲に合わせて若干湾曲した長孔によって形成されている。収納体３２のガイド突起３６は、ガイド溝３７に係合され、ガイド溝３７の範囲内で移動する。これにより、収納体３２は、格納部３１に格納された格納位置（図８、図９）と開口部３３を外部に臨ませた開放位置（図１０、図１１）とに亘って移動する。
【００５５】
収納体３２の前面３４ａと反対側の背面３４ｃにおいて、開口部３３の近傍には、収納部３２ａに光を照射する発光ユニット２１が設けられている。この発光ユニット２１は、上記収納装置１０に用いた発光ユニット２１と同様な構成を有しており、発光体２２と、ワイヤレス給電のための受電部２３とを備えている。受電部２３におけるループコイル２３ａは、受電側共振回路の一部を構成するものであり、例えば背面３４ｃに対しほぼ平行な平面に設けられている。発光体２２は、収納体３２の背面３４ｃから収納部３２ａに光を照射する。
【００５６】
格納部３１には、発光ユニット２１に対してワイヤレス給電をする給電部２４が設けられている。給電部２４は、例えば、収納体３２の出し入れがされる格納部３１の挿脱口３９の周囲に設けられるループコイル２４ａ等を有している。ループコイル２４ａは、給電側共振回路の一部を構成する。給電側のループコイル２４ａは、例えば、挿脱口３９の外周に沿って、大きな開口面積を有するように形成されている。給電部２４は、直流電源である車載用バッテリ２５を電源とし、直流共鳴方式で受電部２３に対して給電する。なお、直流共鳴方式については、収納装置１０の場合と同様なため詳細は省略する。
【００５７】
図８及び図９に示すように、収納装置３０では、収納体３２が格納部３１に格納されているとき、受電側のループコイル２３ａの設けられた収納体３２の背面３４ｃと、格納部３１の挿脱口３９の周囲に設けられたループコイル２４ａとが離れている。したがって、受電部２３及び給電部２４は給電効率の低い状態にあり、発光体２２は、収納部３２ａに対し暗い第１照度で光を照射している。この状態は、図７中の領域Ｚ２（漸減領域）で、中央値よりも大きい相対距離を利用することで得られる。したがって、ユーザは、この状態で、暗いながらも収納体３２の前面３４ａの窓部３８から収納部３２ａの収納物を目視確認できる。このとき、発光体２２が照射した光は、窓部３８を通じて漏れることによって車室の演出照明のように機能する。
【００５８】
図１０及び図１１に示すように、収納体３２が、格納部３１から引き出され、開口部３３が開放されたとき、収納体３２の背面３４ｃは、格納部３１の挿脱口３９の近傍に位置する。給電側のループコイル２４ａと受電側のループコイル２３ａとが互いに近接し、相対距離が短くなる。また、ループコイル２４ａの中心軸線とループコイル２３ａの中心軸線とが互いにほぼ平行となり、両中心軸線の相対角度がほぼ０度となる。これにより、受電部２３及び給電部２４は給電効率の高い状態となるので、収納体３２の背面３４ｃに設けられた発光体２２は、第１照度より高い第２照度で収納部３２ａに光を照射する。したがって、収納部３２ａは、収納体３２が格納部３１に格納されたときより明るくなり、ユーザは、収納部３２ａの収納物をしっかりと確認することができる。この状態は、図７中の領域Ｚ１を利用することで得られる。
【００５９】
収納体３２が格納部３１から引き出されるときには、受電部２３と給電部２４との相対距離が徐々に短くなり、また、相対角度も徐々に小さくなり、給電効率が徐々に上がる。したがって、発光体２２は、収納体３２が格納部３１から引き出されるに連れて、第１照度から第２照度まで次第に明るくなる。また、収納体３２が格納部３１に格納されるときには、受電部２３と給電部２４との相対距離が徐々に長くなり、また、相対角度も徐々に大きくなり、給電効率が徐々に下がる。したがって、発光体２２は、収納体３２が格納部３１に格納されるに連れて、第２照度から第１照度まで次第に暗くなる。この状態は、図７中の領域Ｚ２（漸減領域）を利用することで得られる。このように、収納装置３０では、収納体３２の出し入れ動作に連動させて、発光体２２の照度を変化せることで、発光体２２を演出照明のように動作させることができる。
【００６０】
以上のような第２実施形態の収納装置３０は、以下のように列挙する効果を得ることができる。
（５）収納装置３０は、格納部３１から収納体３２が引き出されるとき、収納体３２の引き出される引き出し量に合わせて次第に明るくなり、収納体３２が格納部３１に格納されるとき、収納体３２の格納される方向の移動量に合わせて次第に暗くなる。このように、収納装置３０では、発光体２２を、収納体３２の出し入れの動作に連動させて照度を変えることで演出照明として機能させることができる。
【００６１】
（６）移動体である収納体３２は、固定体である格納部３１に対して移動することから、発光体２２に対して有線で給電することが困難である。収納装置３０では、ワイヤレス給電で固定体である格納部３１の給電部２４から、移動体である収納体３２の受電部２３にワイヤレスで給電することで、有線の場合とは異なり、断線等の発生を抑制することができる。
【００６２】
（７）ワイヤレス給電システムとして直流共鳴方式を採用している。したがって、上記（３）と同様に、Ｑｉ規格に準拠した電磁誘導方式よりも給電効率を高くすることができる。また、ループコイル２４ａ，２３ａの配置の自由度を高くすることができる。
【００６３】
（８）収納体３２が格納部３１に格納されている状態において、発光体２２は、夜間等の車内が暗いとき、例えばヘッドライトの点灯に連動して、第１照度で点灯する。したがって、ユーザは、暗いながらも窓部３８を介して収納部３２ａの状態を視認することができる。また、発光体２２から第１照度で照射される光は、窓部３８を通じて漏れることで車室の演出照明となる。更に、収納体３２が格納部３１から引き出されたときには、発光体２２が明るくなるので、収納物をしっかりと視認することができるようになり、収納物の出し入れを容易に行うことができる。
【００６４】
なお、上記第２実施形態の収納装置３０は、以下のように適宜変更して実施することもできる。
・受電側のループコイル２３ａと発光体２２とは、上記第１実施形態で説明した理由と同様の理由により、１つのユニットに設けられるのではなく、各別のユニットに設けられ、互いに離れた位置に設けられてもよい。特に、発光体２２は、受電側共振回路からの配線を長くすれば、収納体３２の何れの位置に設けられてもよい。
【００６５】
・発光体２２は、収納体３２が格納部３１に格納されたとき、完全に消灯されてもよい。この場合、窓部３８は設けられなくてもよい。格納部３１に収納体３２が格納されたときに、受電側のループコイル２３ａが給電側のループコイル２４ａの給電可能な範囲の外に位置すればよい。
【００６６】
・ガイド機構３５の構成は、一例であって、上述の構成に限定されるものではない。例えば、ガイド突起３６を格納部３１の両側部３１ａに形成し、ガイド溝３７を収納体３２の両側部３４ｂに形成するようにしてもよい。また、収納体３２は格納部３１に対して直線的に引き出されるものであってもよい。
【００６７】
・発光体２２は、ヘッドライトに連動して点灯しなくてもよい。
（第３実施形態）
次に、図１２〜図１４を参照して、発光内装製品の第３実施形態となるホルダ装置５０について説明する。図１、図１２、及び、図１３に示すように、このホルダ装置５０は、センターコンソール２において、例えばシフトレバー３に隣接して設けられている。このホルダ装置５０は、有底筒状の収納対象物５１と、収納対象物５１を収納する収納ホルダ５２とを備えている。収納対象物５１は、収納ホルダ５２に対して、持ち運びできるように無制限に移動可能な移動体である。これに対して、収納ホルダ５２は、センターコンソール２に固定される固定体である。収納対象物５１は、例えばマフィン型の灰皿であり、吸い殻を入れる有底筒状の筒状体５１ａと、筒状体５１ａの上面の開口部を開閉する蓋体５１ｂとを備えている。
【００６８】
収納ホルダ５２は、筒状の収納対象物５１を収納する収納凹部５２ａを備えている。収納凹部５２ａは、収納対象物５１の底面側が嵌合されることで、収納対象物５１を安定した姿勢で保持する。収納凹部５２ａは、ここでは、収納ホルダ５２に２つ並んで設けられ、２つの収納凹部５２ａは、収納凹部５２ａの開口と対向する方向から見て８の字状を呈し、互いに繋がれた空間部である。
【００６９】
収納対象物５１の筒状体５１ａの側面及び底面には、周囲を明るくする発光ユニット５３が設けられている。筒状体５１ａの側面には、発光ユニット５３の一部を構成するＬＥＤ、ＥＬ素子といった発光部としての第１発光体５４が複数設けられ、筒状体５１ａの底面には、発光ユニット５３の一部を構成する受電部５５が設けられている。筒状体５１ａの側面の第１発光体５４は、筒状体５１ａの周囲に光を照射する。受電部５５は、筒状体５１ａの底面に対し平行な面に、受電側のループコイル５５ａを有している。ループコイル５５ａは、受電側の共振回路の一部を構成する。また、この共振回路には、第１発光体５４と並列にコンデンサ５５ｂ（図１４参照）が設けられている。
【００７０】
収納ホルダ５２には、収納対象物５１に対してワイヤレス給電する給電部５６が設けられている。給電部５６は、給電側共振回路の一部を構成するループコイル５６ａ等を有している。ループコイル５６ａは、例えば、収納対象物５１が収納ホルダ５２の収納凹部５２ａに嵌合されたとき、筒状体５１ａの底面に設けられた受電側のループコイル５５ａと対向するように、収納凹部５２ａの底面に対し平行な面に設けられている。ここでは、収納ホルダ５２に、収納凹部５２ａが２つ並んで設けられているので、ループコイル５６ａは２つの収納凹部５２ａの連続した底面の外周部に沿って大きな開口面積を有するように形成されている。
【００７１】
ここで採用されているワイヤレス給電システムは、上述の直流共鳴方式である。図１４に示すように、受電部５５は、第１発光体５４に対して、受電側のループコイル５５ａとコンデンサ５５ｂとが並列に接続され共振回路を構成している。なお、給電部５６では、ループコイル５６ａとコンデンサ２４ｂとが並列接続されている。コンデンサ５５ｂは、ループコイル５５ａの受電した電力量の一部を蓄電する蓄電部としても機能し、給電部５６から受電部５５が給電不能な位置まで離れたときでも、一定期間、第１発光体５４を発光させる。
【００７２】
図１２及び図１３に示すように、収納ホルダ５２において収納凹部５２ａの開口部５２ｂの周囲には、第２発光体５７が設けられている。第２発光体５７も、ＥＬ素子やＬＥＤで構成されており、車載用バッテリ２５に接続されている。ただし、第２発光体５７に対しては、ワイヤレス給電で電力が供給されるのではなく、上述した給電部５６及び受電部５５とは別系統で電力が供給される。第２発光体５７は、収納凹部５２ａの開口部５２ｂに光を照射することで、暗いときでも、開口部５２ｂの位置が視認できるようにする。第２発光体５７は、例えばヘッドライトの点灯に連動して点灯する。
【００７３】
図１２に示すように、収納ホルダ５２の収納凹部５２ａに収納対象物５１が収納されているとき、同収納対象物５１の筒状体５１ａの底面に設けられた受電側のループコイル５５ａと、収納凹部５２ａの底面に設けられた給電側のループコイル５６ａとが近接した状態で対向する。したがって、受電部５５及び給電部５６は給電効率の高い状態となり、第１発光体５４が発光する。この状態は、図７中の領域Ｚ１を利用することで得られる。これと共に、第２発光体５７も、収納凹部５２ａの開口部５２ｂの周囲を明るくしている。したがって、ユーザは、収納ホルダ５２に収納されている収納対象物５１の位置を、暗いときであっても、視認することができる。
【００７４】
図１３に示すように、収納ホルダ５２の収納凹部５２ａから取り出された収納対象物５１の受電部５５が、給電部５６から給電不能な位置まで離間した状態では、その受電部５５には、給電部５６から電力が供給されなくなり、第１発光体５４は消灯する。この状態は、図７において、相対距離がＬ２よりも長い領域で得られる。
【００７５】
なお、このときには、収納ホルダ５２の第２発光体５７は点灯し続け、収納凹部５２ａの開口部５２ｂの周囲を明るくし続ける。
収納対象物５１が収納ホルダ５２の収納凹部５２ａに嵌合されるときには、受電部５５と給電部５６との相対距離が徐々に短くなり、給電効率が徐々に上がる。したがって、第１発光体５４は、収納ホルダ５２に近づくに連れて次第に明るくなる。ユーザは、暗いところであっても、収納対象物５１が収納ホルダ５２に近づいていることを視認することができる。この状態は、受電部５５が図７の領域Ｚ２（漸減領域）で相対距離が短くなる側へ移動することで得られる。
【００７６】
また、収納ホルダ５２から収納対象物５１が取り出されるときには、受電部５５と給電部５６との相対距離が徐々に長くなり、給電効率が徐々に下がる。したがって、仮に、受電部５５に、蓄電部として機能するコンデンサ５５ｂが設けられていないとすると、第１発光体５４は、収納対象物５１が収納ホルダ５２から離れるに連れて暗くなり、最終的に消灯する。この状態は、受電部５５が図７の領域Ｚ２（漸減領域）で相対距離が長くなる側へ移動し、最後に相対距離がＬ２よりも長くなることで得られる。
【００７７】
しかし、第３実施形態では、第１発光体５４に対して、受電側のループコイル５５ａとコンデンサ５５ｂとが並列に接続されていて、コンデンサ５５ｂが、ループコイル５５ａの受電した電力量の一部を蓄電している。
【００７８】
そのため、受電部５５と給電部５６との相対距離が給電不能な距離になっても、第１発光体５４は、コンデンサ５５ｂに蓄電された電力によって、所定期間（例えば十数秒程度）、点灯し続ける。収納対象物５１は、灰皿であって、収納ホルダ５２から離れた位置で使用されることも多い。収納対象物５１の第１発光体５４は、収納ホルダ５２から離れても、コンデンサ５５ｂの蓄電機能により暫くの間点灯し続ける。これにより、手元が明るくなり、収納対象物５１は、灰皿として使いやすくなる。
【００７９】
以上のように、このホルダ装置５０では、図７の領域Ｚ２（漸減領域）を積極的に利用し、収納対象物５１の収納ホルダ５２からの距離に応じて照度を変えることで、第１発光体５４を演出照明のように動作させることができる。また、収納対象物５１を収納凹部５２ａに戻すときには、第２発光体５７が点灯しているので、第２発光体５７の明かりを頼りに、収納対象物５１を収納凹部５２ａに近づけることができる。
【００８０】
以上のような第３実施形態のホルダ装置５０は、以下のように列挙する効果を得ることができる。
（９）ホルダ装置５０は、収納対象物５１が収納ホルダ５２に近づくと、受電部５５と給電部５６との相対距離が短くなることに合わせて次第に明るくなる。このように、ホルダ装置５０では、第１発光体５４を、収納ホルダ５２と収納対象物５１との距離に連動させて照度を変えることで、演出照明として機能させることができる。
【００８１】
（１０）ホルダ装置５０では、ワイヤレス給電で、収納ホルダ５２の給電部５６から収納対象物５１の受電部５５に給電している。そのため、有線の場合とは異なり、電源コードの長さに移動距離が制限されることなく、収納対象物５１を固定体である収納ホルダ５２に対して、制限なく自由に移動させることができる。
【００８２】
（１１）ワイヤレス給電システムとして直流共鳴方式を採用している。そのため、上記（３）と同様に、電磁誘導方式よりも給電効率を高くすることができる。また、直流共鳴方式は、電磁誘導方式よりも給電部５６と受電部５５との相対距離について、第１発光体５４を発光させることのできる範囲が広いため、ループコイル５６ａ，５５ａの配置の自由度を高くすることができる。
【００８３】
（１２）収納対象物５１の第１発光体５４や収納ホルダ５２の第２発光体５７は、例えばヘッドライトの点灯に連動して点灯する。したがって、ユーザは、暗いながらも第１発光体５４や第２発光体５７の明かりを頼りに収納対象物５１や収納ホルダ５２の位置を視認することができる。収納ホルダ５２から収納対象物５１を取り出したときにも、収納対象物５１の第１発光体５４は、給電不能な距離まで離れても暫くの間点灯し続けるので、収納対象物５１の操作性を向上することができる。
【００８４】
なお、上記第３実施形態のホルダ装置５０は、以下のように適宜変更して実施することもできる。
・収納凹部５２ａの開口部５２ｂの周囲の第２発光体５７に対しても、受電部を設けて、給電部５６から直流共鳴方式で給電するようにしてもよい。
【００８５】
・収納ホルダ５２の収納凹部５２ａは、１つであってもよいし、３つ以上であってもよい。
・収納対象物５１は、灰皿の他、飲み物を入れるカップであってもよい。
【００８６】
・第２発光体５７は、収納ホルダ５２から割愛されてもよい。
・受電側のループコイル５５ａは、筒状体５１ａの側面に設けられてもよい。この場合、給電側のループコイル５６ａも、受電側のループコイル５５ａと対向する収納凹部５２ａの側面に設けられることが好ましい。
【００８７】
・直流共鳴方式によるワイヤレス給電が可能な回路構成であれば、例えば、コンデンサ２４ｂ，５５ｂは、ループコイル５６ａ，５５ａに対して直列に接続されてもよいし、新たな抵抗素子がループコイル５６ａ，５５ａに対して直列に接続されてもよい。
【００８８】
（第４実施形態）
次に、図１５及び図１６を参照して、発光内装製品の第４実施形態について説明する。第４実施形態は、第３実施形態のホルダ装置５０の変形例である。図１５（ａ）及び（ｂ）に示すように、第４実施形態では、収納ホルダ５２の底面に対し平行な面に、給電部５６の一部を構成するループコイル５６ａが設けられている。また、収納凹部５２ａの開口部５２ｂの周囲には、第２発光体５７に加え、発光部としての第３発光体６１が設けられている。第２発光体５７と第３発光体６１は、開口部５２ｂの周囲に近接して設けられ、透光性のカバーで覆われることで、１つの発光部として構成されている。第３発光体６１も、ＥＬ素子やＬＥＤで構成され、開口部５２ｂに光を照射する。
【００８９】
第３発光体６１は、収納凹部５２ａの開口部５２ｂの周囲に設けられた更なる受電部６２から給電される。この受電部６２では、受電側の共振回路の一部を構成するループコイル６２ａが、開口部５２ｂの周囲又は近傍に設けられている。この共振回路には、第３発光体６１と並列にコンデンサ６２ｂが設けられている。この受電部６２は、次に説明するように、収納凹部５２ａに収納された収納対象物５１の受電部５５を経由して収納ホルダ５２の給電部５６から給電される。
【００９０】
図１５（ｂ）に示すように、この収納ホルダ５２では、底面（給電部５６のループコイル５６ａが配置された箇所）から上面近傍の受電部６２までの距離（高さＨ１）が、直流共鳴方式のワイヤレス給電では給電不能な距離となっている。給電部５６のループコイル５６ａは、収納ホルダ５２の底面近傍の外周部に設けられている。これに対して、収納ホルダ５２の底面（ループコイル５６ａが配置された箇所）から、収納対象物５１の底面に設けられたループコイル５５ａ、すなわち、収納対象物５１を収納する収納凹部５２ａの底面５２ｃまでの距離（高さＨ２）は、収納ホルダ５２の高さ方向の中程の高さであり、給電部５６から直流共鳴方式で給電可能な距離（高さ）である。
【００９１】
収納凹部５２ａに収納対象物５１が収納された状態では、収納対象物５１の受電部５５のループコイル５５ａは、収納ホルダ５２の底面に位置する給電部５６のループコイル５６ａから給電可能な距離離れた箇所に位置する。したがって、収納対象物５１の受電部５５には、収納ホルダ５２の底面に位置する給電部５６から給電される。更に、収納凹部５２ａに収納されている収納対象物５１の受電部５５と、収納ホルダ５２の上面に設けられている受電部６２との距離は、直流共鳴方式で給電可能な距離である。したがって、収納対象物５１の受電部５５は、中継器として機能し、給電部５６からの電力を収納ホルダ５２の上面側の受電部６２に供給する。すなわち、受電部５５と受電部６２との間においても、時間的に変化する共鳴フィールドを形成し、給電側と受電側の共振回路を互いに共鳴させて、空間を隔てて電力を供給する。これにより、第３発光体６１には、収納対象物５１が収納凹部５２ａに収納されたときに限って、収納対象物５１の受電部５５で中継された電力が供給される。
【００９２】
収納ホルダ５２の収納凹部５２ａに収納対象物５１が収納されているとき、収納対象物５１の筒状体５１ａの底面に設けられた受電側のループコイル５５ａと、収納凹部５２ａの底面に設けられた給電側のループコイル５６ａとが近接した状態で対向する。したがって、受電部５５及び給電部５６は給電効率の高い状態となり、第１発光体５４が発光する。この状態は、図７中の領域Ｚ１を利用することで得られる。これと共に、第２発光体５７も、収納凹部５２ａの開口部５２ｂの周囲を明るくしている。したがって、ユーザは、収納ホルダ５２に収納されている収納対象物５１の位置を、暗いときであっても視認することができる。加えて、収納対象物５１における受電部５５の中継により、給電部５６から受電部６２に給電され、第３発光体６１が点灯する。すなわち、収納凹部５２ａの開口部５２ｂでは、第２発光体５７及び第３発光体６１がともに点灯する。この状態も、図７中の領域Ｚ１を利用することで得られる。
【００９３】
ここで、第２発光体５７と第３発光体６１とは、透光性のカバーで覆われ、１つの発光部として構成されている。
そのため、第２発光体５７及び第３発光体６１の各発光色が同じ色に設定されれば、収納凹部５２ａに収納対象物５１が収納された状態では、収納凹部５２ａの開口部５２ｂの周辺が収納対象物５１の収納凹部５２ａへの収納前よりも高い照度で照らされる。
【００９４】
また、第２発光体５７及び第３発光体６１の各発光色が異なる色に設定されれば、開口部５２ｂの周辺は、収納対象物５１が収納凹部５２ａに収納される前と後とで、異なる発光色で照らされる。例えば、第２発光体５７の発光色が赤色であり、かつ第３発光体６１の発光色が緑色である場合には、収納凹部５２ａの開口部５２ｂは、赤色と緑色とが混色した黄色で照らされる。すなわち、収納対象物５１が収納凹部５２ａに収納されることで、開口部５２ｂの周辺の色が赤色から黄色に変化する。
【００９５】
収納ホルダ５２の収納凹部５２ａから取り出された収納対象物５１の受電部５５が、給電部５６から給電不能な位置まで離間した状態では、上記第３実施形態と同様に、受電部５５には、給電部５６から電力が供給されなくなり、第１発光体５４は消灯する。この状態は、図７において、相対距離がＬ２よりも長い領域で得られる。
【００９６】
なお、このときには、収納ホルダ５２の第２発光体５７は、収納凹部５２ａの開口部５２ｂの周囲を明るくし続ける。また、受電部５５による電力供給の中継が行なわれなくなるため、第３発光体６１は消灯する。
【００９７】
ところで、収納対象物５１が収納ホルダ５２の収納凹部５２ａに嵌合されるときには、受電部５５と給電部５６との相対距離が徐々に短くなり、給電効率が徐々に上がる。したがって、第１発光体５４の照度は、受電部５５が給電部５６に近づくに連れて高くなる。
【００９８】
また、収納ホルダ５２から収納対象物５１が取り出されるときには、受電部５５と給電部５６との相対距離が徐々に長くなり、給電効率が徐々に下がる。したがって、仮に、受電部５５に、蓄電部として機能するコンデンサ５５ｂが設けられていないとすると、第１発光体５４の照度は、収納対象物５１が収納ホルダ５２から離れるに連れて低くなる。第１発光体５４は最終的には消灯する。
【００９９】
しかし、第４実施形態でも第３実施形態と同様に、第１発光体５４に対して、受電側のループコイル５５ａとコンデンサ５５ｂとが並列に接続されていて、コンデンサ５５ｂが、ループコイル５５ａの受電した電力量の一部を蓄電している。
【０１００】
そのため、受電部５５と給電部５６との相対距離が給電不能な距離になっても、第１発光体５４は、コンデンサ５５ｂに蓄電された電力によって、所定期間（例えば十数秒程度）、点灯し続ける。
【０１０１】
また、第４実施形態では、第３発光体６１に対して、受電側のループコイル６２ａとコンデンサ６２ｂとが並列に接続されていて、コンデンサ６２ｂが、ループコイル６２ａの受電した電力量の一部を蓄電している。
【０１０２】
そのため、収納ホルダ５２から収納対象物５１が取り出される途中で受電部５５による電力供給の中継が行なわれなくなっても、第３発光体６１は、コンデンサ６２ｂに蓄電された電力によって、所定期間、点灯し続ける。
【０１０３】
以上のような第４実施形態のホルダ装置５０は、上記（９）〜（１２）に記載した効果に加えて、以下の効果を得ることができる。
（１３）給電部５６に対して給電不能の位置にある受電部６２には、給電部５６からの電力を受電部５５によって中継して供給することができる。そのため、第３発光体６１は、収納凹部５２ａに収納対象物５１が収納されたときに点灯する。したがって、収納凹部５２ａでの収納対象物５１の収納と第３発光体６１の点灯とを連動させることができる。これにより、第３発光体６１を、演出照明として機能させることができる。
【０１０４】
なお、上記第４実施形態のホルダ装置５０は、第３実施形態の変形例に加え、更に、以下のように適宜変更して実施することもできる。
・収納ホルダ５２の開口部５２ｂには、第３発光体６１だけ設けることとし、第２発光体５７を設けなくてもよい。
【０１０５】
・直流共鳴方式によるワイヤレス給電が可能な回路構成であれば、例えば、コンデンサ２４ｂ，５５ｂ，６２ｂは、ループコイル５６ａ，５５ａ，６２ａに対して直列に接続されてもよい。また、新たな抵抗素子がループコイル５６ａ，５５ａ，６２ａに対して直列に接続されてもよい。
【０１０６】
・給電部５６と、同給電部５６から最も離れた受電部６２との間には、電力の中継器として機能する受電部がいくつ存在してもよい。
（第５実施形態）
次に、図１及び図１７を参照して、発光内装製品の第５実施形態となる空調装置の吹き出しレジスタ７０について説明する。この吹き出しレジスタ７０は、矩形状を呈した空調空気の吹出口７１を構成し、インストゥルメントパネル１に取り付けられるベゼル７２と、吹出口７１に配設されるグリル７３とを備えている。ベゼル７２は、インストゥルメントパネル１に取り付けられることで固定体となる。吹出口７１は、ベゼル７２に２つ並んで設けられている。各吹出口７１に設けられるグリル７３は、風向を調整する複数のフィン７４を備えている。複数のフィン７４は、矩形薄板状であり、吹出口７１の長辺に対し平行に設けられる。
【０１０７】
複数のフィン７４は、互いに平行であり、中央に位置する１つのフィン７４には、複数のフィン７４の傾きを調整する風向調整用操作部７５が設けられている。各フィン７４は、両端部においてベゼル７２に回動可能に支持されている。複数のフィン７４は、更に互いに駆動連結されている。これにより、複数のフィン７４は、風向調整用操作部７５を上下方向へ回動操作することで、同方向に回動し、風向を調整することができる。このような風向調整用操作部７５は、ベゼル７２に対して移動する移動体となる。風向調整用操作部７５は、各吹出口７１のグリル７３に設けられる。
【０１０８】
この風向調整用操作部７５の矩形薄板状のハウジング内には発光ユニット７６が配設されている。発光ユニット７６では、発光部としての発光体７７と受電部７８とが配線基板に設けられている。発光体７７は、光の照射方向が車室側となるように配線基板に実装されている。受電部７８は、受電側共振回路の一部を構成するループコイル７８ａを備えている。このループコイル７８ａは、配線基板に設けられている。
【０１０９】
ベゼル７２には、受電部７８に対して給電する給電部７９が設けられている。給電部７９は、給電側共振回路の一部を構成するループコイル７９ａを備えている。ループコイル７９ａは、２つの吹出口７１を囲むように設けられており、各グリル７３に設けられた２つの受電部７８に電力を直流共鳴方式で給電する。給電部７９と受電部７８とは、給電可能な相対距離の範囲内に位置している。
【０１１０】
以上のような吹き出しレジスタ７０では、風向を調整するにあたって、図１７中矢印で示すように風向調整用操作部７５が上下左右の方向に移動される。すると、固定体であるベゼル７２側の給電部７９のループコイル７９ａと、移動体である風向調整用操作部７５側の受電部７８のループコイル７８ａとの相対距離及び相対角度が変化する。この状態は、図７の領域Ｚ２（漸減領域）を利用することで得られる。これにより、給電部７９から受電部７８への給電効率が変化し、照度も変化する。このように、風向調整用操作部７５は、暗い車室でも目立つため、ユーザは、風向調整用操作部７５の位置を容易に視認することができる。すなわち、吹き出しレジスタ７０では、発光体７７を演出照明のように機能させることができる。
【０１１１】
以上のような第５実施形態の吹き出しレジスタ７０は、以下のように列挙する効果を得ることができる。
（１４）ベゼル７２に取り付けられるフィン７４は、薄板状であり、この薄板状のフィン７４に設けられる風向調整用操作部７５には、有線で給電することは困難である。この点、ここでは、ワイヤレス給電を採用し、更に直流共鳴方式で給電しているので、効率的に、固定体であるベゼル７２に設けられた給電部７９から、移動体である風向調整用操作部７５に設けられた受電部７８に対して給電することができる。また、電源コードが露出することもなく、電源コード等によって見栄えが悪くなることを抑制できる。また、断線の発生を抑制することができる。
【０１１２】
（１５）風向調整用操作部７５の操作方向によって、受電部７８と給電部７９との相対距離や相対角度が変わることで、照度が変わる。これにより、発光体７７を演出照明のように機能させることができる。
【０１１３】
なお、上記第５実施形態の吹き出しレジスタ７０は、以下のように適宜変更して実施することもできる。
・給電部７９の一部を構成するループコイル７９ａは、ベゼル７２に２つ並んだ吹出口７１を囲むように１つ設けられたが、各吹出口７１を囲むように２つ設けられてもよい。
【０１１４】
・各吹出口７１の横には、空調空気の風量を調整する風量調整用操作部８０が設けられている。この風量調整用操作部８０は、上下方向に操作されることで、空調装置内の通気路の開放量を調整する。発光体７７及び受電部７８は、この風量調整用操作部８０に設けられてもよい。この場合にも、風量調整用操作部８０が上下方向に操作されることで、受電部７８と給電部７９との相対距離及び相対角度が変化する。これにより、発光体７７の照度が変化する。なお、風量調整用操作部８０は、左右方向に操作されるものであってもよい。
【０１１５】
（第６実施形態）
次に、図１８を参照して、発光内装製品の第６実施形態となる空調装置の吹き出しレジスタ９０について説明する。この吹き出しレジスタ９０は、円形状を呈した空調空気の吹出口９１を有し、かつインストゥルメントパネル１に取り付けられるベゼル９２と、吹出口９１に取り付けられるレジスタ９３とを備えている。ベゼル９２は、インストゥルメントパネル１に取り付けられることで固定体となる。吹出口９１に設けられるレジスタ９３は、吹出口９１に設けられる十字状の操作部であり、上下左右に回動され、更に、吹出口９１の周方向に回転されることで、空調空気の流路内に配設されるフィンの傾きを調整する。
【０１１６】
このレジスタ９３において、十字の交差点である中心部には、発光ユニット９７が内蔵されている。発光ユニット９７では、発光部としての発光体９４と受電部９５とが配線基板９５ｂに設けられている。発光体９４は、照射方向が車室側となるように配線基板９５ｂに実装されている。受電部９５は、受電側共振回路の一部を構成するループコイル９５ａを備えている。このループコイル９５ａは、配線基板９５ｂに設けられている。
【０１１７】
ベゼル９２には、受電部９５に対して給電する給電部９６が設けられている。給電部９６は、給電側共振回路の一部を構成するループコイル９６ａを備えている。ループコイル９６ａは、円形状を呈する吹出口９１を囲むように設けられており、レジスタ９３に設けられた受電部９５に対し直流共鳴方式で給電する。給電部９６と受電部９５とは、給電可能な相対距離の範囲内に位置している。
【０１１８】
以上のような吹き出しレジスタ９０では、風向を調整するにあたって、レジスタ９３が上下左右に回動され、更に吹出口９１の周方向に回転される。すると、固定体であるベゼル９２側の給電部９６のループコイル９６ａと、移動体であるレジスタ９３側の受電部９５のループコイル９５ａとの相対角度や相対距離が変化する。これにより、給電部９６から受電部９５への給電効率が変化し、照度も変化する。この状態は、図７の領域Ｚ２（漸減領域）を利用することで得られる。このように、レジスタ９３は、暗い車室でも目立つため、ユーザは、レジスタ９３の位置を容易に視認することができる。すなわち、吹き出しレジスタ９０では、発光体９４を演出照明のように機能させることができる。
【０１１９】
以上のような第６実施形態の吹き出しレジスタ９０は、以下のように列挙する効果を得ることができる。
（１６）ベゼル９２に取り付けられるレジスタ９３は、回転体であり、発光体９４に有線で給電することは困難である。この点、ここでは、ワイヤレス給電を採用し、更に直流共鳴方式で給電しているので、効率的に、給電部９６から受電部９５に給電することができる。また、電源コードが露出することもなく、電源コード等によって見栄えが悪くなることを抑制できる。また、断線の発生を抑制することができる。
【０１２０】
（１７）レジスタ９３は、上下左右に回動し、更に吹出口９１の周方向に回転することによって、受電部９５と給電部９６との相対角度や相対距離が変わることで、照度が変わる。これにより、発光体９４を演出照明のように機能させることができる。
【０１２１】
なお、上記第６実施形態の吹き出しレジスタ９０は、以下のように適宜変更して実施することもできる。
・ベゼル９２に設けられる給電部９６のループコイル９６ａは、ベゼル９２と連結されるベース９８に設けられてもよいし、ベゼル９２とベース９８の両方に設けられてもよい。
【０１２２】
（第７実施形態）
次に、図１９を参照して、上述した第１実施形態〜第６実施形態で用いられた受電部を備えた発光ユニット１０１の具体的構成について説明する。図１９（ａ）及び（ｂ）に示すように、第７実施形態の発光ユニット１０１は、リジット又はフレキシブル配線基板１０２を備えている。配線基板１０２の一方の面には、発光部としての発光体１０３と、受電部を構成する電子部品１０４とが実装されている。また、配線基板１０２の他方の面には、ループコイル１０５がパターニングされている。そして、ループコイル１０５の端部は、スルーホール（図示略）に挿通されて、配線基板１０２の一方の面に形成された電子部品１０４や発光体１０３と電気的に接続されている。この例では、ループコイル１０５が配線基板に形成されるので、量産化に好適である。
【０１２３】
（第８実施形態）
また、図２０（ａ）及び（ｂ）に示すように、第８実施形態の発光ユニット１０６は、配線基板１０２を備えている。配線基板１０２の一方の面には、発光体１０３と受電部を構成する電子部品１０４とが実装されている。また、配線基板１０２の他方の面には、ループコイル１０７が設けられている。ループコイル１０７は、銅版をプレスして形成されたもので、配線基板１０２の他方の面に貼り付けられる。ループコイル１０７の端部は、配線基板１０２に形成されたスルーホール１０８に挿通され、配線基板１０２の一方の面に形成され、かつ発光体１０３や電子部品１０４に電気的に接続された配線パターン１０９に対し電気的に接続される。
【０１２４】
なお、上記第７実施形態及び第８実施形態の発光ユニット１０１，１０６は、以下のように適宜変更して実施することもできる。
・第７実施形態及び第８実施形態において、配線基板１０２の同じ面に、発光体１０３及び電子部品１０４と、ループコイル１０５，１０７とが設けられてもよい。
【０１２５】
・第７実施形態のループコイル１０５や第８実施形態のループコイル１０７は、配線基板１０２に設けられなくてもよい。すなわち、ループコイル１０５，１０７は、銅線やワイヤ細線をループ状に巻回することで構成され、他の部品に固定されてもよい。
【０１２６】
（第９実施形態）
図２１は、第５実施形態として図１７に示した吹き出しレジスタ７０の発光ユニット７６に用いた配線基板を説明する図である。図２１（ａ）に示すように、風向調整用操作部７５は、薄板状のフィン７４に合わせて、矩形薄板状に形成されたハウジング１１０を備えている。このハウジング１１０の内部には、配線基板１１１が配設されている。図２１（ｂ）に示すように、配線基板１１１の一方の面には、受電部７８を構成する電子部品１０４が実装されている。なお、ループコイルは、配線基板１１１の他方の面に設けられている。また、配線基板１１１の端部には、発光体７７が実装されている。この発光体７７は、光の出射面が配線基板１１１の一方の面に対し垂直な端面となっており、出射方向が配線基板１１１の一方の面に対し平行な方向となっている。このように構成された配線基板１１１は、発光体７７の車室側の先端面から光が照射されるように矩形薄板状のハウジング１１０に配設される。
【０１２７】
（第１０実施形態）
図２２は、第６実施形態として図１８に示した吹き出しレジスタ９０の発光ユニット９７に用いた配線基板を説明する図である。図２２（ａ）に示すように、ベゼル９２に対して回転するレジスタ９３において、十字の交差点である中心部には、発光ユニット９７が設けられている。発光ユニット９７の内部には、配線基板１１２が配設されている。図２２（ｂ）に示すように、配線基板１１２の一方の面には、受電部９５を構成する電子部品１０４が実装されている。なお、ループコイルは、配線基板１１２の他方の面に設けられている。また、配線基板１１２の一方の面には、更に発光体９４が実装されている。この発光体９４では、光の出射面が配線基板１１２の一方の面に対し平行であり、出射方向が一方の面に対して垂直な方向となっている。このように構成された配線基板１１２は、車室側に光が照射されるようにレジスタ９３の十字の交差点である中心部に配設される。
【０１２８】
（第１１実施形態）
次に、発光内装製品を収納装置に具体化した第１１実施形態について、図２３〜図２６を参照し、第１実施形態との相違を中心に説明する。
【０１２９】
図２３及び図２４に示すように、第１１実施形態では、収納装置１０における蓋体１３の大部分が、光透過性を有する板状の基材１３ａによって構成されている。基材１３ａの乗員側の面には、装飾部材としてエンブレム１３ｂが取付けられている。エンブレム１３ｂは、光透過性を有しないか、又は有していても僅かに有しているに過ぎない。蓋体１３であってエンブレム１３ｂの後方（図２４の左方）には発光ユニット２１が設けられている。この発光ユニット２１は、第１実施形態と同様に、ＬＥＤ、ＥＬ素子等からなる発光体２２と、ワイヤレス給電のための受電部２３とを備えている。受電部２３におけるループコイル２３ａは、受電側の共振回路の一部を構成するものであり（図６参照）、例えば基材１３ａに対し平行に配置されている。発光体２２は、基材１３ａ及びエンブレム１３ｂに向けて光を照射することで、基材１３ａのうちエンブレム１３ｂの周囲を明るくする。
【０１３０】
収納体１１の収納部１１ａの底部には、小物等の収納物を収納するトレイ２６が載置されている。トレイ２６は、収納部１１ａから独立して形成されており、開口部１２を通じ収納部１１ａに対し出し入れ可能である。トレイ２６の前部（図２４の右部）には、後方に向けて光を照射することで、同トレイ２６を照らす発光ユニット５３が設けられている。この発光ユニット５３は、第３実施形態と同様に、ＬＥＤ、ＥＬ素子等からなる第１発光体５４と、ワイヤレス給電のための受電部５５とを備えている。受電部５５におけるループコイル５５ａは、受電側の共振回路の一部を構成するものであり、この共振回路には、第１発光体５４と並列にコンデンサ５５ｂが設けられている（図１４参照）。コンデンサ５５ｂは、ループコイル５５ａの受電した電力量の一部を蓄電する蓄電部としても機能する。
【０１３１】
収納装置１０における収納体１１には、発光ユニット２１，５３に対してワイヤレス給電をする給電部２４が設けられている。ループコイル２４ａは、給電部２４において給電側の共振回路の一部を構成するものであり（図６参照）、トレイ２６の出し入れがされる開口部１２の周囲に設けられている。給電部２４は、直流電源である車載用バッテリ２５を電源とし、直流共鳴方式で受電部２３，５５に対して給電する。
【０１３２】
上記収納装置１０では、収納体１１が固定体を構成し、蓋体１３及びトレイ２６が移動体を構成している。
上記以外の構成は第１実施形態と同様である。そのため、第１実施形態で説明したものと同様の要素には同一の符号を付し、重複する説明を省略する。
【０１３３】
次に、上記のように構成された第１１実施形態の作用について説明する。
図２３及び図２４は、トレイ２６の全体が収納体１１の収納部１１ａに収容され、蓋体１３が、収納体１１の天板１４に対してほぼ垂直にされた状態を示している。収納体１１の開口部１２は、蓋体１３によって閉塞されている。
【０１３４】
給電側のループコイル２４ａと受電側のループコイル２３ａとは互いに近接し、相対距離が短くなっている。また、ループコイル２４ａの中心軸線と、ループコイル２３ａの中心軸線とが互いにほぼ平行となり、相対角度がほぼ０度となっている。受電部２３及び給電部２４は給電効率の高い状態となっている。
【０１３５】
発光体２２は、基材１３ａ及びエンブレム１３ｂに向けて光を照射する。照射された光は、基材１３ａを透過するが、エンブレム１３ｂをほとんど透過しない。蓋体１３では、基材１３ａのうちエンブレム１３ｂの周囲の部分が明るくなる。そのため、ユーザには、エンブレム１３ｂが浮遊しているように見える。
【０１３６】
また、このときには、給電側のループコイル２４ａと受電側のループコイル５５ａとは互いに近接し、相対距離が短くなっている。受電部５５及び給電部２４は給電効率の高い状態となっている。
【０１３７】
トレイ２６の前部の第１発光体５４は後方へ向けて光を照射する。この光により、トレイ２６及びその周囲が明るくされる。
図２５及び図２６は、蓋体１３が、天板１４の上側で、その天板１４に対しほぼ平行にされ、収納体１１の開口部１２が開放された状態を示している。
【０１３８】
給電側のループコイル２４ａと受電側のループコイル２３ａとの相対距離は、上記開口部１２の閉塞時よりも長く、給電部２４から受電部２３への給電可能な長さよりも長くなっている。また、ループコイル２４ａの中心軸線と、ループコイル２３ａの中心軸線とが互いにほぼ直交し、相対角度がほぼ９０度となっている。相対角度は、上記開口部１２の閉塞時よりも大きく、給電部２４から受電部２３への給電可能な角度よりも大きくなっている。受電部２３には、給電部２４から電力が供給されなくなり、発光体２２からの光の照射が停止（消灯）される。
【０１３９】
また、トレイ２６の全体が収納部１１ａに収容され続ける限り、給電側のループコイル２４ａと受電側のループコイル５５ａとは互いに近接し、相対距離が短い。受電部５５及び給電部２４は、給電効率の高い状態に維持される。
【０１４０】
第１発光体５４から後方へ向けて光が照射される。この光により、トレイ２６及びその周囲が明るくされる。したがって、ユーザには、開放された開口部１２を通じ、トレイ２６に収容された小物類等の収納物や、収納部１１ａの内部が見える。
【０１４１】
また、開口部１２が開放されることで、トレイ２６を、開口部１２を通じ収納部１１ａから引き出すことが可能となる。
ただし、トレイ２６が収納部１１ａから引き出されると、それに伴い、受電側のループコイル５５ａが給電側のループコイル２４ａから離間し、相対距離が長くなる。
【０１４２】
給電側のループコイル２４ａと受電側のループコイル５５ａとの相対距離が、給電部２４から受電部５５への給電が不能な長さになるまで、トレイ２６が収納部１１ａから引き出されると、受電部５５には、給電部２４から電力が供給されなくなる。
【０１４３】
しかし、給電部２４から受電部５５への電力供給が停止されてから所定期間（例えば十数秒程度）が経過するまでは、第１発光体５４は、コンデンサ５５ｂ（図１４参照）に蓄電された電力によって点灯し続ける。第１発光体５４から後方へ向けて照射される光により、トレイ２６及びその周囲が明るくされる。したがって、トレイ２６が収納部１１ａから引き出されても、ユーザには、トレイ２６に収容された小物類等の収納物が見える。
【０１４４】
上記第１１実施形態の収納装置１０によれば、次の効果が得られる。
（１８）収納体１１を固定体とし、収納体１１の開口部１２を開閉する蓋体１３を移動体とした収納装置１０にあって、蓋体１３として、光透過性を有する基材１３ａと、装飾部材（エンブレム１３ｂ）とを備えるものを採用する。給電部２４を収納体１１に設け、受電部２３と発光部（発光体２２）とを蓋体１３に設ける。そして、蓋体１３が開口部１２を閉塞しているときには、発光部（発光体２２）から基材１３ａ及び装飾部材（エンブレム１３ｂ）に光を照射し、蓋体１３が開口部１２を開放しているときには、光の照射を停止させている。
【０１４５】
そのため、蓋体１３の開閉動作に連動させて、装飾部材（エンブレム１３ｂ）が浮遊しているように見える照明を演出したり、その照明を停止したりして、演出照明の効果を高めることができる。
【０１４６】
（１９）蓋体１３によって開閉される開口部１２を有する収納体１１を固定体とし、収納体１１に対し出し入れ可能に収納されるトレイ２６を移動体とした収納装置１０にあって、給電部２４を収納体１１に設け、受電部５５と発光部（第１発光体５４）とをトレイ２６に設ける。そして、トレイ２６が収納体１１の収納部１１ａに収納されているときには、発光部（第１発光体５４）から光を照射し、トレイ２６が開口部１２から引き出されることを通じて、受電部５５と給電部２４との距離を長くして光の照射を停止させている。
【０１４７】
そのため、開口部１２を閉塞している蓋体１３が、同開口部１２を開放させる位置まで移動させられたとき、トレイ２６や収納部１１ａ内を明るくし、視認しやすくすることができる。収納部１１ａに対する収納物の出し入れを容易に行うことができるようになる。
【０１４８】
また、トレイ２６の引出し操作に連動させて、トレイ２６やその周辺部分を明るくする照明を演出したり、その照明を停止したりして、演出照明の効果を高めることができる。
（２０）移動体である蓋体１３は、固定体である収納体１１に対して移動することから、発光体２２に対して有線で給電することが困難である。また、移動体であるトレイ２６は固定体である収納体１１に対して移動することから、第１発光体５４に対して有線で給電することが困難である。
【０１４９】
この点、収納装置１０では、ワイヤレス給電により、収納体１１の給電部２４から、蓋体１３の受電部２３とトレイ２６の受電部５５とに給電するようにしている。
そのため、電源と発光体２２との結線が不要となり、電源と第１発光体５４との結線が不要となる。有線の場合とは異なり、断線等の発生を抑制することができる。
【０１５０】
特に、トレイ２６では、ワイヤレス給電が採用されているので、有線の場合とは異なり、電源コードの長さに移動距離が制限されることがない。トレイ２６は、収納体１１に対して、制限なく自由に移動させることができる。
【０１５１】
更に、蓋体１３の受電部２３に対する給電と、トレイ２６の受電部５５に対する給電とを共通の給電部２４によって行なっているため、別々の給電部によって行なう場合に比べ、部品点数が少なくてすむ。
【０１５２】
（２１）受電部５５における受電側の共振回路では、コンデンサ５５ｂを第１発光体５４に対し並列に接続している（図１４）。そして、このコンデンサ５５ｂを、ループコイル５５ａの受電した電力量の一部を蓄電する蓄電部としても機能させている。
【０１５３】
そのため、移動体であるトレイ２６が収納体１１から引き出されて、給電部２４から受電部５５が給電不能な位置まで離れたときでも、一定期間、第１発光体５４を発光させ続けることができる。
【０１５４】
トレイ２６や、そのトレイ２６に収納された小物等の収納物の位置を視認しやすくすることができる。また、トレイ２６を把持した手元が明るくなり、トレイ２６の移動がしやすくなる。更に、開口部１２を通じてトレイ２６を収納体１１の収納部１１ａに収容する（戻す）操作がしやすくなる。
【０１５５】
（２２）ワイヤレス給電システムとして直流共鳴方式を採用している。
そのため、上記（３）と同様に、電磁誘導方式よりも給電効率を高くすることができる。また、ループコイル２４ａ，２３ａの配置の自由度を高くすることができる。更に、ループコイル２４ａ，５５ａの配置の自由度を高くすることができる。
【０１５６】
なお、上記第１１実施形態の収納装置１０は、以下のように適宜変更して実施することもできる。
・装飾部材として、蓋体１３を装飾するものであることを条件に、エンブレム１３ｂとは異なるものが用いられてもよい。
【０１５７】
・装飾部材（エンブレム１３ｂ）が光透過性を有する材料によって形成されてもよい。
・蓋体１３が開口部１２を閉塞する位置と、開放する位置との間で回動される際には、その回動に伴い受電部２３と給電部２４との相対距離や相対角度が徐々に変化し、給電効率が徐々に変化する。そのため、この給電効率の変化を利用することで、蓋体１３の回動に伴い発光体２２の照度を徐々に変化させるようにしてもよい。
【０１５８】
・トレイ２６が収納部１１ａから引き出される際には、そのトレイ２６の移動に伴い受電部５５と給電部２４との相対距離が徐々に変化し、給電効率が徐々に変化する。そのため、この給電効率の変化を利用することで、トレイ２６の引出し（スライド移動）に伴い第１発光体５４の照度を徐々に変化させるようにしてもよい。
【０１５９】
・発光ユニット２１における受電側のループコイル２３ａと発光体２２とは、上記第１実施形態で説明した理由と同様の理由により、各別のユニットに設けられて、互いに離れた位置に配置されてもよい。特に、発光体２２は、受電側共振回路からの配線を長くすれば、蓋体１３の何れの位置に設けられてもよい。
【０１６０】
発光ユニット５３における受電側のループコイル５５ａと第１発光体５４とについても、上記と同様に、各別のユニットに設けられて、互いに離れた位置に配置されてもよい。
（第１２実施形態）
次に、発光内装製品をホルダ装置に具体化した第１２実施形態について、図２７〜図３２を参照して説明する。
【０１６１】
図２７及び図２８に示すように、ホルダ装置１２０は、固定体としてのケース１２１と、移動体としての可動保持部材１３５とを備えている。
ケース１２１は、四角板状をなす載置部１２２と、その載置部１２２の周縁部から下方へ延びる４つの壁部とを備えている。載置部１２２は、複数種類の保持対象物１４１〜１４３が種類毎に異なる姿勢で載置される箇所である。
【０１６２】
上記ケース１２１の各部を特定するために、ここでは、図２８の左右方向を前後方向といい、同図２８において紙面に直交する方向を幅方向というものとする。また、４つの壁部を互いに区別するために、前後方向に相対向するものの一方を前壁部１２３といい、他方を後壁部１２４といい、幅方向に相対向する２つの壁部を側壁部１２５というものとする。
【０１６３】
ケース１２１において、載置部１２２、前壁部１２３、後壁部１２４及び一対の側壁部１２５によって囲まれた空間は、格納部１２６を構成している。
載置部１２２において、後壁部１２４に接近した箇所には、幅方向に延びる細長い貫通孔１２７が形成されている。貫通孔１２７の幅方向における両端部は、側壁部１２５に接近した箇所に位置している。そして、貫通孔１２７により、格納部１２６とケース１２１の外部とが連通されている。
【０１６４】
載置部１２２において、貫通孔１２７から前方（図２８の右方）へ離れた箇所には、幅方向に延びる凹部１２８が形成されている。凹部１２８の幅方向の寸法は、上記貫通孔１２７の同方向の寸法よりも短く設定されている。これに伴い、凹部１２８の幅方向における各端部と、最寄りの側壁部１２５との間隔は、貫通孔１２７の同方向における各端部と最寄りの側壁部１２５との間隔よりも大きくなっている。
【０１６５】
凹部１２８内の上部には蓋部１２９が配置されている。蓋部１２９の後部（図２８の左部）であって、幅方向における両端部には、それぞれ支軸１３１が設けられている。蓋部１２９は、両支軸１３１より、凹部１２８の内壁部に支持されており、凹部１２８を閉塞する閉位置（図２８）と、前側ほど低くなるように傾斜した状態となって凹部１２８を開放する開位置（図３０）との間で傾動可能である。
【０１６６】
一方、可動保持部材１３５は、一対の腕部１３６と保持本体部１３８とを備えている。両腕部１３６は、長尺状をなし、格納部１２６において互いに幅方向に離間した箇所に配置されている。より詳しくは、各腕部１３６は、側壁部１２５と凹部１２８との間に配置されている。各腕部１３６は、その一方の端部に設けられた軸部１３７により、最寄りの側壁部１２５の上部であって前後方向のほぼ中央部に対し傾動可能に支持されている。
【０１６７】
保持本体部１３８は、上記幅方向に延びる円筒の一部をその円筒の軸線に沿って切り出したようなアーチ状に形成されている。保持本体部１３８の側面視は、上記腕部１３６の軸部１３７を中心とし、かつ軸部１３７と貫通孔１２７との間隔を半径とする円に沿った円弧状をなしている。保持本体部１３８は、上記貫通孔１２７に挿通されており、自身の周方向に沿って移動可能である。
【０１６８】
保持本体部１３８は、その周方向における一方の端部１３８ａであって、側壁部１２５に接近した箇所において、上記各腕部１３６の軸部１３７とは反対側の端部に連結されている。保持本体部１３８の周方向における他方の端部１３８ｂは、常にケース１２１の外部（載置部１２２よりも上方）に露出している。保持本体部１３８は、両腕部１３６の軸部１３７を支点とした傾動に伴い、その軸部１３７の周りで回動する。
【０１６９】
保持本体部１３８には、その厚み方向に貫通する保持孔１３９が形成されている。ここでは、一対の保持孔１３９が幅方向に並べられた状態で設けられている（図３１参照）。これらの保持孔１３９は、ケース１２１の載置部１２２上に載置された飲料容器等の保持対象物１４３を起立状態に保持する際に、その保持対象物１４３が挿通される孔である。
【０１７０】
ホルダ装置１２０には、上記のように軸部１３７を支点として回動する可動保持部材１３５を、没入位置、中間位置及び突出位置といった３つの位置に係止する係止機構（図示略）が設けられている。
【０１７１】
没入位置は、図２７及び図２８に示すように、保持本体部１３８の大部分がケース１２１の格納部１２６に格納される位置である。没入位置では、保持本体部１３８の端部１３８ｂのみがケース１２１の外部、すなわち、載置部１２２よりも上方に露出している。両腕部１３６は、軸部１３７よりも前方において、前側ほど低くなるように傾斜した状態となる。
【０１７２】
中間位置は、図２９及び図３０に示すように、端部１３８ａを含む保持本体部１３８の一部がケース１２１の格納部１２６に格納され、端部１３８ｂを含む残部がケース１２１から露出する位置である。両腕部１３６は、鉛直状態になる。
【０１７３】
突出位置は、図３１及び図３２に示すように、保持本体部１３８の大部分がケース１２１から露出する位置である。両腕部１３６は、格納部１２６内でほぼ水平状態になる。保持本体部１３８における保持孔１３９の中心軸線は、ほぼ鉛直状態となる。
【０１７４】
保持本体部１３８の上記端部１３８ｂには、第１実施形態で説明したものと同様の構成を有する発光ユニット２１が設けられている。すなわち、発光ユニット２１は、ＬＥＤ、ＥＬ素子等からなる発光体２２と、ワイヤレス給電のための受電部２３とを備えている。受電部２３におけるループコイル２３ａは、受電側の共振回路の一部を構成するものである（図６参照）。発光体２２は、光を照射することで、保持本体部１３８の上記端部１３８ｂの周囲を明るくする。
【０１７５】
ケース１２１の上部、例えば載置部１２２の下面には、上記発光ユニット２１に対してワイヤレス給電をする給電部２４が設けられている。給電部２４は、第１実施形態で説明したものと同様の構成を有している。すなわち、ループコイル２４ａは、給電部２４において給電側の共振回路の一部を構成するものであり（図６参照）、可動保持部材１３５が突出位置に係止されたとき、発光ユニット２１に最も接近する箇所に設けられている。給電部２４は、直流電源である車載用バッテリ２５を電源とし、直流共鳴方式で受電部２３に対して給電する。
【０１７６】
上記のようにして、第１２実施形態のホルダ装置１２０が構成されている。次に、このホルダ装置１２０の作用について説明する。
図２７及び図２８に示すように、可動保持部材１３５が没入位置に係止されているときには、保持本体部１３８の端部１３８ｂのみが載置部１２２よりも上方に露出している。蓋部１２９は閉位置にあり、凹部１２８は蓋部１２９によって閉塞されている。
【０１７７】
このときには、載置部１２２では、貫通孔１２７よりも前方部分に可動保持部材１３５が存在しない。そのため、この載置部１２２に、タブレット型のコンピュータ等の保持対象物１４１を載置することが可能である。可動保持部材１３５において、載置部１２２から露出する端部１３８ｂは、ストッパとして機能し、保持対象物１４１に接触することで、その保持対象物１４１がそれ以上後方へ動くのを規制する。
【０１７８】
また、給電側のループコイル２４ａと受電側のループコイル２３ａとの相対距離は、可動保持部材１３５が突出位置（図３１、図３２参照）に係止されているときよりも長く、給電部２４から受電部２３への給電可能な長さよりも長くなっている。また、ループコイル２４ａの中心軸線と、ループコイル２３ａの中心軸線とのなす角度が、可動保持部材１３５が突出位置（図３１、図３２参照）に係止されているときよりも大きく、給電部２４から受電部２３への給電可能な角度よりも大きくなっている。受電部２３には、給電部２４から電力が供給されず、発光体２２から光が照射されない。
【０１７９】
図２９及び図３０に示すように、可動保持部材１３５が中間位置に係止されているときには、保持本体部１３８の端部１３８ｂを含む一部がケース１２１から露出している。
このときには、保持本体部１３８の端部１３８ｂが凹部１２８よりも後方で、その凹部１２８よりも上方に位置する。そのため、スマートフォン、携帯電話機等の平板状の保持対象物１４２の下端部を凹部１２８に挿入して、同保持対象物１４２を保持本体部１３８の端部１３８ｂに凭れさせることが可能である。この際、保持対象物１４２の重量を受けた蓋部１２９が開位置に傾動することで、凹部１２８が開放され、保持対象物１４２の凹部１２８への挿入が可能となる。そして、保持対象物１４２の下端部が凹部１２８に挿入された状態で同保持対象物１４２が保持本体部１３８の端部１３８ｂに凭れさせられることで、その保持対象物１４２は傾斜した姿勢に保持される。
【０１８０】
また、給電側のループコイル２４ａと受電側のループコイル２３ａとの相対距離は、依然として給電部２４から受電部２３への給電可能な長さよりも長くなっている。また、ループコイル２４ａの中心軸線と、ループコイル２３ａの中心軸線とのなす角度は、依然として給電部２４から受電部２３への給電可能な角度よりも大きくなっている。受電部２３には、給電部２４から電力が供給されず、発光体２２から光が照射されない。
【０１８１】
図３１及び図３２に示すように、可動保持部材１３５が突出位置に係止されているときには、保持本体部１３８の大部分がケース１２１から露出している。
このときには、保持本体部１３８の各保持孔１３９が載置部１２２から上方へ離れた箇所に位置し、しかも各保持孔１３９の中心軸線がほぼ鉛直状態となる。そのため、ペットボトル、カップ等の飲料容器からなる保持対象物１４３を保持孔１３９に対し上方から挿通し、載置部１２２上に載置することが可能となる。各保持孔１３９の内壁面は、保持対象物１４３が前後方向や幅方向へ動くのを規制する。各保持対象物１４３は、載置部１２２上で起立した状態に保持される。
【０１８２】
なお、このときには、蓋部１２９が水平状態となり、凹部１２８が蓋部１２９によって閉塞された状態となる。
また、受電側のループコイル２３ａが給電側のループコイル２４ａに近接し、両ループコイル２３ａ，２４ａの相対距離が短くなる。また、ループコイル２４ａの中心軸線と、ループコイル２３ａの中心軸線とが互いにほぼ平行となり、両ループコイル２３ａ，２４ａの相対角度がほぼ０度となる。受電部２３及び給電部２４は給電効率の高い状態となる。
【０１８３】
発光体２２は光を照射する。照射された光により、保持本体部１３８の端部１３８ｂ及びその周辺部分が明るくされる。また、光の一部は、上記のように起立状態に保持された保持対象物１４３に照射される。ユーザには、明るくされた保持本体部１３８の端部１３８ｂや保持対象物１４３が見える。
【０１８４】
上記第１２実施形態のホルダ装置１２０によれば、上記（３）と同様の効果が得られるほか、次の効果が得られる。
（２３）第１２実施形態は、ケース１２１を固定体とし、可動保持部材１３５を移動体としたホルダ装置１２０を対象とする。ケース１２１には、複数種類の保持対象物１４１〜１４３が種類毎に異なる姿勢で載置される載置部１２２を設ける。可動保持部材１３５をケース１２１の載置部１２２から出没させ、載置部１２２に載置された保持対象物１４２，１４３を可動保持部材１３５によって種類毎の姿勢に保持する。そして、可動保持部材１３５がケース１２１の載置部１２２から最大量突出した突出位置（図３１、図３２）にあるときには、発光部（発光体２２）から光を照射させる。可動保持部材１３５が、没入位置（図２７、図２８）及び中間位置（図２９、図３０）にあるときには、発光部（発光体２２）からの光の照射を停止させている。すなわち、突出位置にある可動保持部材１３５をケース１２１内に没入させることを通じて受電部２３と給電部２４との距離及び角度を変化させることで、照度を、可動保持部材１３５が突出位置にあるときとは異なる照度に変化させるようにしている。
【０１８５】
そのため、可動保持部材１３５のケース１２１に対する出没動作に連動させて、可動保持部材１３５の端部１３８ｂや保持対象物１４３（飲料容器）を明るくする照明を演出したり、その照明を停止したりして、演出照明の効果を高めることができる。
【０１８６】
（２４）可動保持部材１３５が没入位置（図２７、図２８）にあるときには、その可動保持部材１３５の大部分をケース１２１の格納部１２６に格納するようにしている。
そのため、ケース１２１の上方に広いスペースを確保し、載置部１２２上にタブレット型のコンピュータ等の保持対象物１４１を安定した状態で載置することができる。
【０１８７】
（２５）可動保持部材１３５が没入位置（図２７、図２８）にあるときには、保持本体部１３８の端部１３８ｂのみをケース１２１から露出させている。
そのため、載置部１２２に載置されたタブレット型のコンピュータ等の保持対象物１４１が過度に後方へ動くのを可動保持部材１３５によって規制することができる。
【０１８８】
（２６）ケース１２１の載置部１２２に、幅方向に延びる凹部１２８を設ける。可動保持部材１３５が中間位置（図２９、図３０）にあるときには、保持本体部１３８の端部１３８ｂを凹部１２８よりも後方で、その凹部１２８よりも上方に位置させるようにしている。
【０１８９】
そのため、スマートフォン、携帯電話機等の保持対象物１４２の下端部を凹部１２８に挿入して、その保持対象物１４２を保持本体部１３８の端部１３８ｂに凭れさせることで、同保持対象物１４２を傾斜させた状態に保持することができる。
【０１９０】
（２７）可動保持部材１３５が突出位置（図３１、図３２）にあるときには、各保持孔１３９を載置部１２２の上方に位置させる。また、各保持孔１３９を、その保持孔１３９の中心軸線が上下方向へ延びる姿勢にしている。
【０１９１】
そのため、飲料容器等の保持対象物１４３を保持孔１３９に挿通させた状態で載置部１２２上に載置させることで、同保持対象物１４３を起立状態に保持することができる。
（２８）移動体である可動保持部材１３５が、固定体であるケース１２１に対して移動することから、発光体２２に対して有線で給電することが困難である。
【０１９２】
この点、ホルダ装置１２０では、ワイヤレス給電により、ケース１２１の載置部１２２から可動保持部材１３５の受電部２３に給電するようにしている。
そのため、電源と発光体２２との結線が不要となる。有線の場合とは異なり、断線等の発生を抑制することができる。
【０１９３】
なお、上記第１２実施形態のホルダ装置１２０は、以下のように適宜変更して実施することもできる。
・可動保持部材１３５がケース１２１に対し出没する際には、その出没動作に伴い受電部２３と給電部２４との相対距離や相対角度が徐々に変化し、給電効率が徐々に変化する。そのため、この給電効率の変化を利用することで、可動保持部材１３５の出没動作に伴い発光体２２の照度を徐々に変化させるようにしてもよい。
【０１９４】
・受電側のループコイル２３ａと発光体２２とは、１つのユニットに設けられるのではなく、各別のユニットに設けられて、互いに離れた位置に配置されてもよい。特に、発光体２２は、受電側共振回路からの配線を長くすれば、可動保持部材１３５の何れの位置に設けられてもよい。
【０１９５】
（第１３実施形態）
次に、発光内装製品を収納装置に具体化した第１３実施形態について、図３３及び図３４を参照して説明する。
【０１９６】
この収納装置１５０は、固定体としてのコンソールボックス１５１と、移動体としての複数種類の収納対象物１５５とを備えている。
コンソールボックス１５１は前後方向（図３３のほぼ左右方向、図３４において紙面に直交する方向）に細長い形状をなしており、その長さ方向の一部には収納部１５２が設けられている。収納部１５２は、上面が開放された凹部によって構成されており、ここに各収納対象物１５５が収納される。この収納部１５２もまた前後方向に延びる形状をなしている。
【０１９７】
収納部１５２において、幅方向（図３４の左右方向）に相対向する一対の側壁面１５３の各上部には、前後方向に直線状に延びるガイド部として、ガイド溝１５４が形成されている。両ガイド溝１５４の前端（図３３の右端）は、コンソールボックス１５１の前面１５１ａまで延びている。
【０１９８】
複数の収納対象物１５５は、例えば、カップホルダ、灰皿、携帯電話機用ホルダ等からなる。各収納対象物１５５の外周面の上端部であって、その収納対象物１５５の中心軸線を挟んで相対向する２箇所には、被ガイド部としてガイド突起１５６が形成されている。そして、両ガイド突起１５６が上記ガイド溝１５４に対し前後方向ヘスライド可能に係合されている。両ガイド突起１５６は、両ガイド溝１５４に対し、その前端の開口部１５４ａを通じて取り外し可能であり、また取付け（係合）可能である。したがって、収納部１５２に収納されていた収納対象物１５５の両ガイド突起１５６を両ガイド溝１５４から取り外し、異なる種類の収納対象物１５５の両ガイド突起１５６を両ガイド溝１５４に係合させることで、収納部１５２に収納される収納対象物１５５を交換可能である。
【０１９９】
なお、コンソールボックス１５１の前部には、可動ストッパ（図示略）が設けられている。可動ストッパは、これが操作されないときにはガイド溝１５４の前部に位置して、ガイド溝１５４に係合しているガイド突起１５６がそれ以上前方へ移動するのを規制する。また、可動ストッパは、これが操作されたときには、ガイド溝１５４から後退して、ガイド溝１５４に係合しているガイド突起１５６が前方へ移動するのを許容する。
【０２００】
収納対象物１５５の底部には、第１実施形態で説明したものと同様の構成を有する発光ユニット２１が設けられている。すなわち、図６及び図３４に示すように、発光ユニット２１は、ＬＥＤ、ＥＬ素子等からなる発光体２２と、ワイヤレス給電のための受電部２３とを備えている。受電部２３におけるループコイル２３ａは、受電側の共振回路の一部を構成するものである。発光体２２は、光を照射することで、収納対象物１５５の少なくとも底部を明るくする。
【０２０１】
コンソールボックス１５１の底部であって、収納部１５２の下方には、発光ユニット２１に対してワイヤレス給電をする給電部２４が設けられている。給電部２４は、第１実施形態で説明したものと同様の構成を有している。すなわち、ループコイル２４ａは、給電部２４において給電側の共振回路の一部を構成するものであり、収納部１５２の前後方向のほぼ全長にわたって配置されている。給電部２４は、直流電源である車載用バッテリ２５を電源とし、直流共鳴方式で受電部２３に対して給電する。
【０２０２】
上記のようにして、第１３実施形態の収納装置１５０が構成されている。次に、この収納装置１５０の作用について説明する。
収納対象物１５５がコンソールボックス１５１の収納部１５２に収納され、かつ、ガイド突起１５６が対応するガイド溝１５４に係合されているときには、受電側のループコイル２３ａが給電側のループコイル２４ａに近接し、両ループコイル２３ａ，２４ａの相対距離が短くなる。受電部２３及び給電部２４は給電効率の高い状態となる。
【０２０３】
発光体２２は光を照射する。照射された光により、収納対象物１５５の少なくとも底部が明るくされる。例えば、収納対象物１５５がカップホルダであって、このカップホルダによってカップが起立状態に保持されている場合には、カップの少なくとも底部もまた明るくされる。
【０２０４】
なお、ガイド突起１５６をガイド溝１５４に沿って前後方向へスライドさせることで、収納部１５２における収納対象物１５５の前後方向の位置を調整可能である。したがって、ユーザの好みの前後位置に収納対象物１５５を位置させることが可能である。調整後の位置でも、受電側のループコイル２３ａが給電側のループコイル２４ａに近接し、両ループコイル２３ａ，２４ａの相対距離が短くなる。そのため、発光体２２から照射される光により、収納対象物１５５の少なくとも底部は明るくされる。
【０２０５】
収納部１５２に収納される収納対象物１５５の種類を変更したい場合には、ガイド突起１５６をガイド溝１５４に沿って前方へ移動させる。可動ストッパを操作してガイド溝１５４から後退させ、この状態で、収納対象物１５５を前方へ移動させることで、ガイド突起１５６をガイド溝１５４から取り外す。
【０２０６】
すると、給電側のループコイル２４ａと受電側のループコイル２３ａとの相対距離は、ガイド突起１５６がガイド溝１５４に係合して、収納対象物１５５が収納部１５２内に収納されているときよりも長く、給電部２４から受電部２３への給電可能な長さよりも長くなる。受電部２３には、給電部２４から電力が供給されず、発光体２２から光が照射されなくなる。
【０２０７】
更に、上記のように取り外された収納対象物１５５とは異なる種類の収納対象物１５５のガイド突起１５６をガイド溝１５４に係合させ、同ガイド突起１５６をガイド溝１５４に沿って後方へスライド移動させる。そして、可動ストッパを操作してガイド溝１５４まで移動させる。上記スライド移動に伴い、受電側のループコイル２３ａが給電側のループコイル２４ａに近接し、両ループコイル２３ａ，２４ａの相対距離が短くなって、再び発光体２２が光を照射するようになる。
【０２０８】
上記第１３実施形態の収納装置１５０によれば、上記（３）と同様の効果が得られるほか、次の効果が得られる。
（２９）第１３実施形態は、コンソールボックス１５１を固定体とし、収納対象物１５５を移動体とした収納装置１５０を対象とする。各収納対象物１５５の外周面の上部には、被ガイド部としてガイド突起１５６を設ける。コンソールボックス１５１には、上面が開放されて収納対象物１５５が収納される収納部１５２を設ける。収納部１５２の側壁面１５３には、前後方向に直線状に延びて、複数種類の収納対象物１５５の各ガイド突起１５６が取り外し可能に係合されるガイド部としてガイド溝１５４を設ける。そして、給電部２４をコンソールボックス１５１において収納部１５２の下方に設け、受電部２３及び発光部（発光体２２）を、各収納対象物１５５の底部に設けている。
【０２０９】
そのため、収納対象物１５５が収納部１５２内に位置するときには、発光体２２から光を照射させ、収納対象物１５５の少なくとも底部を明るくすることができる。
また、ガイド突起１５６がガイド溝１５４から取り外されて、収納対象物１５５が収納部１５２の外部に位置させられると、発光体２２からの光の照射を停止させることができる。
【０２１０】
このように、ガイド溝１５４に沿った収納対象物１５５のスライド動作に連動させて、収納対象物１５５の少なくとも底部を明るくする照明を演出したり、その照明を停止したりして、演出照明の効果を高めることができる。
【０２１１】
更に、収納対象物１５５の前後方向の位置をユーザの望む位置に変えることができる。また、ガイド突起１５６がガイド溝１５４に係合している状態では、収納対象物１５５の前後位置に拘わらず、収納対象物１５５の少なくとも底部を発光体２２によって明るくすることができる。
【０２１２】
更に、収納部１５２に収納されていた収納対象物１５５の両ガイド突起１５６を両ガイド溝１５４から取り外し、異なる種類の収納対象物１５５の両ガイド突起１５６を両ガイド溝１５４に係合させることで、収納部１５２に収納される収納対象物１５５を交換することができる。
【０２１３】
（３０）移動体である収納対象物１５５は、固定体であるコンソールボックス１５１に対して移動することから、発光体２２に対して有線で給電することが困難である。
この点、収納装置１５０では、ワイヤレス給電により、コンソールボックス１５１の底部から収納対象物１５５の受電部２３に給電するようにしている。
【０２１４】
そのため、電源と発光体２２との結線が不要となる。有線の場合とは異なり、断線等の発生を抑制することができる。
特に、収納対象物１５５では、ワイヤレス給電が採用されているので、有線の場合とは異なり、電源コードの長さに移動距離が制限されることがない。収納対象物１５５を、コンソールボックス１５１に対して、制限なく自由に移動させることができる。
【０２１５】
なお、上記第１３実施形態の収納装置１５０は、以下のように適宜変更して実施することもできる。
・上記第１３実施形態では、給電部２４におけるループコイル２４ａが収納部１５２の前後方向のほぼ全長にわたって配置されたが、同方向の一部、例えば中間部分にのみ設けられてもよい。このようにすると、収納対象物１５５を収納部１５２内において前後方向へスライド移動させる際には、そのスライド移動に伴い受電部２３と給電部２４との相対距離が徐々に変化し、給電部２４の受電部２３に対する給電効率が徐々に変化する。そのため、この給電効率の変化を利用することで、収納対象物１５５のスライド移動に伴い発光体２２の照度を徐々に変化させるようにしてもよい。
【０２１６】
・給電部２４におけるループコイル２４ａは、コンソールボックス１５１において収納部１５２の側壁面１５３の近くに配置されてもよい。この場合には、発光ユニット２１におけるループコイル２３ａは、収納対象物１５５の側部に設けられることが望ましい。
【０２１７】
・受電側のループコイル２３ａと発光体２２とは、１つのユニットに設けられるのではなく、各別のユニットに設けられて、互いに離れた位置に配置されてもよい。特に、発光体２２は、受電側共振回路からの配線を長くすれば、収納対象物１５５の何れの位置に設けられてもよい。
【０２１８】
・各収納対象物１５５の受電部２３における受電側の共振回路に、第３実施形態と同様に、発光体２２と並列にコンデンサを設け、このコンデンサをループコイル２３ａの受電した電力量の一部を蓄電する蓄電部として機能させてもよい。
【０２１９】
このようにすると、収納対象物１５５がコンソールボックス１５１から取り外されて、給電部２４から受電部２３への電力供給が停止されても、所定期間が経過するまでは、発光体２２は、コンデンサに蓄電された電力によって点灯し続ける。発光体２２から照射される光により、収納対象物１５５の少なくとも底部を明るくすることができる。
【０２２０】
・第１３実施形態とは逆に、収納部１５２の壁面に、ガイド部として前後方向に延びるガイド突起が設けられ、収納対象物１５５に対し、被ガイド部としてガイド溝が設けられ、ガイド溝がガイド突起に係合されてもよい。
【０２２１】
・ガイド部は、直線状に延びることを条件に、前後方向とは異なる方向へ延びるものであってもよい。
（その他の変形例）
なお、第１実施形態〜第１３実施形態以外にも、以下のように適宜変更して実施することもできる。
【０２２２】
・直流共鳴方式において、１つの給電部に対して複数の受電部が設けられていてもよいし、複数の給電部に対して、１つの受電部が設けられていてもよいし、複数の給電部に対して複数の受電部が設けられていてもよい。
【０２２３】
・以上の例では、発光体は照度が変化する他に、点滅するものであってもよい。
・発光内装製品は、車両用であって以上例示した内装製品以外の内装製品に適用されてもよい。また、発光内装製品は、車両以外の内装製品、例えば、建築物の内装製品や航空機の内装製品等の様々な内装製品に対して適用されてもよい。
【符号の説明】
【０２２４】
１…インストゥルメントパネル、２…センターコンソール、３…シフトレバー、１０…収納装置、１１…収納体（固定体）、１１ａ…収納部、１２…開口部、１３…蓋体（移動体）、１３ａ…基材、１３ｂ…エンブレム（装飾部材）、１４…天板、１５…窓部、１６…回動支持部材、１７…側面、１８…背面、２１…発光ユニット、２２…発光体（発光部）、２３…受電部、２３ａ…ループコイル、２３ｂ…コンデンサ（蓄電部）、２４…給電部、２４ａ…ループコイル、２４ｂ…コンデンサ（蓄電部）、２４ｃ…スイッチング回路、２５…車載用バッテリ、２６…トレイ（移動体）３０…収納装置、３１…格納部（固定体）、３１ａ…側部、３２…収納体（移動体）、３２ａ…収納部、３３…開口部、３４ａ…前面、３４ｂ…側部、３４ｃ…背面、３５…ガイド機構、３６…ガイド突起、３７…ガイド溝、３８…窓部、３９…挿脱口、５０…ホルダ装置、５１…収納対象物（移動体）、５１ａ…筒状体、５１ｂ…蓋体、５２…収納ホルダ（固定体）、５２ａ…収納凹部、５２ｂ…開口部、５２ｃ…底面、５３…発光ユニット、５４…第１発光体（発光部）、５５…受電部、５５ａ…ループコイル、５５ｂ…コンデンサ（蓄電部）、５６…給電部、５６ａ…ループコイル、５７…第２発光体、６１…第３発光体（発光部）、６２…受電部、６２ａ…ループコイル、６２ｂ…コンデンサ（蓄電部）、７０…吹き出しレジスタ、７１…吹出口、７２…ベゼル（固定体）、７３…グリル、７４…フィン（移動体）、７５…風向調整用操作部（移動体）、７６…発光ユニット、７７…発光体（発光部）、７８…受電部、７８ａ…ループコイル、７９…給電部、７９ａ…ループコイル、８０…風量調整用操作部、９０…吹き出しレジスタ、９１…吹出口、９２…ベゼル（固定体）、９３…レジスタ（移動体）、９４…発光体（発光部）、９５…受電部、９５ａ…ループコイル、９５ｂ…配線基板、９６…給電部、９６ａ…ループコイル、９７…発光ユニット、９８…ベース、１０１…発光ユニット、１０２…配線基板、１０３…発光体（発光部）、１０４…電子部品、１０５…ループコイル、１０６…発光ユニット、１０７…ループコイル、１０８…スルーホール、１０９…配線パターン、１１０…ハウジング、１１１，１１２…配線基板、１２０…ホルダ装置、１２１…ケース（固定体）、１２２…載置部、１２３…前壁部、１２４…後壁部、１２５…側壁部、１２６…格納部、１２７…貫通孔、１２８…凹部、１２９…蓋部、１３１…支軸、１３５…可動保持部材（移動体）、１３６…腕部、１３７…軸部、１３８…保持本体部、１３８ａ，１３８ｂ…端部、１３９…保持孔、１４１，１４２，１４３…保持対象物、１５０…収納装置、１５１…コンソールボックス（固定体）、１５１ａ…前面、１５２…収納部、１５３…側壁面（壁面）、１５４…ガイド溝（ガイド部）、１５４ａ…開口部、１５５…収納対象物（移動体）、１５６…ガイド突起（被ガイド部）。
【図１】
0006572730.tif 000002
【図２】
0006572730.tif 000003
【図３】
0006572730.tif 000004
【図４】
0006572730.tif 000005
【図５】
0006572730.tif 000006
【図６】
0006572730.tif 000007
【図７】
0006572730.tif 000008
【図８】
0006572730.tif 000009
【図９】
0006572730.tif 000010
【図１０】
0006572730.tif 000011
【図１１】
0006572730.tif 000012
【図１２】
0006572730.tif 000013
【図１３】
0006572730.tif 000014
【図１４】
0006572730.tif 000015
【図１５】
0006572730.tif 000016
【図１６】
0006572730.tif 000017
【図１７】
0006572730.tif 000018
【図１８】
0006572730.tif 000019
【図１９】
0006572730.tif 000020
【図２０】
0006572730.tif 000021
【図２１】
0006572730.tif 000022
【図２２】
0006572730.tif 000023
【図２３】
0006572730.tif 000024
【図２４】
0006572730.tif 000025
【図２５】
0006572730.tif 000026
【図２６】
0006572730.tif 000027
【図２７】
0006572730.tif 000028
【図２８】
0006572730.tif 000029
【図２９】
0006572730.tif 000030
【図３０】
0006572730.tif 000031
【図３１】
0006572730.tif 000032
【図３２】
0006572730.tif 000033
【図３３】
0006572730.tif 000034
【図３４】
0006572730.tif 000035